(57)【特許請求の範囲】
【請求項１】
放送番組を蓄積する放送番組蓄積手段と、
ユーザによって放送番組を指定され該放送番組に関連する該ユーザの意見を入力されることにより、該放送番組を特定する番組タグと該ユーザの意見とを含んでメッセージ作成手段により作成され、ネットワークを介してサーバに送信されたメッセージを受信するメッセージ受信手段と、
前記番組タグにより特定される放送番組が前記放送番組蓄積手段に蓄積されているか否かを判断する番組蓄積判断手段と、
前記番組タグにより特定される該放送番組が前記番組蓄積判断手段により蓄積されていると判断された時に、表示手段に該放送番組が視聴可能であることを示すとともに前記メッセージを表示させる表示制御手段とを有することを特徴とする放送番組受信装置。
【請求項２】
放送番組を受信する放送番組受信手段と、
前記放送番組を蓄積する放送番組蓄積手段と、
ユーザによって放送番組を指定され該放送番組に関連する該ユーザの意見を入力されることにより、該放送番組を特定する番組タグと該ユーザの意見とを含んでメッセージ作成手段により作成され、ネットワークを介してサーバに送信されたメッセージを受信するメッセージ受信手段と、
前記番組タグにより特定される放送番組を前記放送番組受信手段が受信し、かつ、前記放送番組蓄積手段が蓄積するよう予約可能か否かを判断する番組予約判断手段と、
前記番組タグにより特定される該放送番組が前記番組予約判断手段により予約不能と判断された時に、表示手段に該放送番組が予約可能であることを示すとともに前記メッセージを表示させる表示制御手段とを有することを特徴とする放送番組受信装置。
【請求項３】
同一内容の放送番組を対応付けて、少なくとも前記番組タグを含む前記放送番組に関する情報を記憶する番組情報記憶手段を含み、
前記番組情報記憶手段から取得される、受信した前記メッセージに含まれる前記番組タグにより特定される放送番組に対応付けられる該放送番組と同一内容の放送番組を、前記番組タグにより特定される放送番組として判断を行うことを特徴とする請求項１または２に記載の放送番組受信装置。
【請求項４】
放送番組受信装置に、放送番組を蓄積する放送番組蓄積手段を設け、
前記放送番組受信装置が、
ユーザによって放送番組を指定され該放送番組に関連する該ユーザの意見を入力されることにより、該放送番組を特定する番組タグと該ユーザの意見とを含んでメッセージ作成手段により作成され、ネットワークを介してサーバに送信されたメッセージを受信するメッセージ受信処理と、
前記番組タグにより特定される放送番組が前記放送番組蓄積手段に蓄積されているか否かを判断する番組蓄積判断処理と、
前記番組タグにより特定される該放送番組が前記番組蓄積判断処理により蓄積されていると判断された時に、表示手段に該放送番組が視聴可能であることを示すとともに前記メッセージを表示させる表示制御処理とを実行することを特徴とする放送番組受信方法。
【請求項５】
放送番組受信装置に、放送番組を蓄積する放送番組蓄積手段を設け、
前記放送番組受信装置が、
前記放送番組を受信する放送番組受信処理と、
ユーザによって放送番組を指定され該放送番組に関連する該ユーザの意見を入力されることにより、該放送番組を特定する番組タグと該ユーザの意見とを含んでメッセージ作成手段により作成され、ネットワークを介してサーバに送信されたメッセージを受信するメッセージ受信処理と、
前記番組タグにより特定される放送番組を前記放送番組受信手段が受信し、かつ、前記放送番組蓄積手段が蓄積するよう予約可能か否かを判断する番組予約判断処理と、
前記番組タグにより特定される該放送番組が前記番組予約判断処理により予約不能と判断された時に、表示手段に該放送番組が予約可能であることを示すとともに前記メッセージを表示させる表示制御処理とを実行することを特徴とする放送番組受信方法。
【請求項６】
放送番組受信装置に、同一内容の放送番組を対応付けて、少なくとも前記番組タグを含む前記放送番組に関する情報を記憶する番組情報記憶手段を設け、
前記放送番組受信装置が、前記番組情報記憶手段から取得される、受信した前記メッセージに含まれる前記番組タグにより特定される放送番組に対応付けられる該放送番組と同一内容の放送番組を、前記番組タグにより特定される放送番組として判断を行うことを特徴とする請求項４または５に記載の放送番組受信方法。
【発明の詳細な説明】
【０００１】
【発明の属する技術分野】
本発明は放送番組受信装置及びその方法に関し、特に放送番組に連動する放送番組関連情報の作成や利用、及び関連付けを行う方法に関する。
【０００２】
【従来の技術】
地上波及び衛星によって放送されたテレビ番組やラジオ番組を、ＰＣ（パーソナルコンピュータ）あるいはセットトップボックス中のハードディスク等に録画（録音）して視聴する装置がある。また、ＰＣ及びセットトップボックスでインタネットに接続することも一般的になってきている。
【０００３】
一方、番組に連動させて番組関連情報をユーザに提示する第１の提示方法やＶＣＲ（Ｖｉｄｅｏ  Ｃａｓｓｅｔｔｅ  Ｒｅｃｏｒｄｅｒ）等によって蓄積された番組に連動させて番組関連情報を提示する第２の提示方法もある。第１の提示方法については特開平１１−６９３１７号公報に開示されており、第２の提示方法については特開平１０−１３６３１２号公報に開示されている。これらの提示方法は視聴中の番組に連動させて、その番組に関連した情報をユーザに提示するサービスである。
【０００４】
また、インタネットではＷｅｂページ等によってさまざまな情報発信が行われている。このインタネットの利用法としては電子掲示板（ＢＢＳ：Ｂｕｌｌｅｔｉｎ  Ｂｏａｒｄ  Ｓｙｓｔｅｍ）、ｉｒｃ［Ｉｎｔｅｒｎｅｔ  Ｒｅｌａｙ  Ｃｈａｔ（ＲＦＣ１４５９，２８１２）］等のチャット、メール及びメーリングリストのようなユーザ間のコミュニケーションも行われている。
【０００５】
これらインタネットを媒体としてやり取りされる情報の中にはテレビ及びラジオ番組に関連したものがある。その関連した情報を受取ったユーザはその情報によって、放送中あるいは録画済の番組を視聴したり、録画予約の目安にする場合があると考えられる。
【０００６】
【発明が解決しようとする課題】
上述した従来の番組関連情報では、番組に連動させて番組関連情報を提示するのみであり、インタネットを用いたＷｅｂページ・メール・ＢＢＳ・チャットを介して提供されるテレビ及びラジオ番組に関する情報を用いて、その提供された情報が示す番組の視聴及び録画を行う際にはユーザが手動で行わなければならない。
【０００７】
また、視聴中の番組及びＥＰＧ（Ｅｌｅｃｔｒｉｃ  Ｐｒｏｇｒａｍ  Ｇｕｉｄｅ：電子番組表）のような番組表からＷｅｂページ・メール・ＢＢＳ・チャット等に番組情報を埋め込む場合にも、それらＷｅｂページ・メール・ＢＢＳ・チャット等の作成者が行わなければならない。
【０００８】
さらに、テレビ及びラジオ番組は、それらを放送する局によって同じ番組であっても放送する時間等が異なる場合があり、上記の番組関連情報を提供する際に、その地域に対応した番組表をそれぞれ作成しなければならない。
【０００９】
さらにまた、既に放送済みの番組を録画していなかった場合には視聴することができない。しかしながら、番組の再放送が視聴したいと考えた時点で予定されている場合もありえるが、それを番組表の中から一々確認しなければならない。
【００１０】
テレビ及びラジオ番組の録画や録音は私的な用途でしか認められていない。したがって、インタネットによってテレビやラジオ番組に関して何らかの情報発信を行おうとした場合でも、著作権等の問題から番組の映像や音声を送ることはできない。
【００１１】
よって、上記の情報発信を行うためには文章等の放送局等の著作権の対象とならない情報だけで情報発信者の意図を表現しなければならないが、このような情報だけで情報発信者の意図が正確に表現しきれるとは限らない。
【００１２】
そこで、本発明の第１の目的は上記の問題点を解消し、ユーザが視聴中の番組に対応した番組タグを含んだメッセージを容易に作成することができる放送番組受信装置及びその方法を提供することにある。
【００１３】
本発明の第２の目的は、電子番組表を用いて番組に対応した番組タグを含んだメッセージを容易に作成することができる放送番組受信装置及びその方法を提供することにある。
【００１４】
本発明の第３の目的は、メッセージ中の番組タグで指定された番組を容易に視聴することができる放送番組受信装置及びその方法を提供することにある。
【００１５】
本発明の第４の目的は、メッセージ中の番組タグで指定された番組を容易に録画予約することができる放送番組受信装置及びその方法を提供することにある。
【００１６】
本発明の第５の目的は、メッセージ中の番組タグに対応した番組が録画可能であるか視聴可能であるかを自動的に判定して視聴あるいは録画予約を容易に行うことができる放送番組受信装置及びその方法を提供することにある。
【００１７】
本発明の第６の目的は、メッセージ中の番組タグに対応した番組が録画可能であるか視聴可能であるかを自動的に判定してユーザにその番組がどの状態にあるかを示すことができる放送番組受信装置及びその方法を提供することにある。
【００１８】
本発明の第７の目的は、地域毎の放送時間等の違いを隠蔽して視聴あるいは録画予約を容易に行うことができる放送番組受信装置及びその方法を提供することにある。
【００１９】
本発明の第８の目的は、別の時間に放送された番組を録画してあれば、同じ番組の視聴を容易に行うことができる放送番組受信装置及びその方法を提供することにある。
【００２０】
本発明の第９の目的は、未放送な別の時間での放送があれば、録画予約を容易に行うことができる放送番組受信装置及びその方法を提供することにある。
【００２１】
【課題を解決するための手段】
本発明による第１の放送番組受信装置は、
放送番組を受信する放送番組受信手段と、
前記放送番組を特定する番組タグと、前記番組タグにより特定される放送番組に関連するユーザの意見とを含んで送信されるメッセージとを受信するメッセージ受信手段と、
前記番組タグにより特定される放送番組を視聴可能か否かを判断する番組視聴判断手段とを備えている。
【００２２】
本発明による第２の放送番組受信装置は、
放送番組を受信する放送番組受信手段と、
前記放送番組を特定する番組タグと、前記番組タグにより特定される放送番組に関連するユーザの意見とを含んで送信されるメッセージとを受信するメッセージ受信手段と、
前記番組タグにより特定される放送番組を前記放送番組受信手段が受信可能か否かを判断する番組受信判断手段と、
前記番組タグにより特定される該放送番組が前記番組受信判断手段により受信可能と判断された時に、表示手段に該放送番組が視聴可能であることを示すとともに前記メッセージを表示させる表示制御手段とを備えている。
【００２４】
本発明による第３の放送番組受信装置は、
放送番組を蓄積する放送番組蓄積手段と、
前記放送番組を特定する番組タグと、前記番組タグにより特定される放送番組に関連するユーザの意見とを含んで送信されるメッセージとを受信するメッセージ受信手段と、
前記番組タグにより特定される放送番組が前記放送番組蓄積手段に蓄積されているか否かを判断する番組蓄積判断手段と、
前記番組タグにより特定される該放送番組が前記番組蓄積判断手段により蓄積されていると判断された時に、表示手段に該放送番組が視聴可能であることを示すとともに前記メッセージを表示させる表示制御手段とを備えている。
【００２５】
本発明による第４の放送番組受信装置は、
放送番組を受信する放送番組受信手段と、
前記放送番組を蓄積する放送番組蓄積手段と、
前記放送番組を特定する番組タグと前記番組タグにより特定される放送番組に関連するユーザの意見とを含んで送信されるメッセージを受信するメッセージ受信手段と、
前記番組タグにより特定される放送番組を前記放送番組受信手段が受信し、かつ、前記放送番組蓄積手段が蓄積するよう予約可能か否かを判断する番組予約判断手段と、
前記番組タグにより特定される該放送番組が前記番組予約判断手段により予約不能と判断された時に、表示手段に該放送番組が予約可能であることを示すとともに前記メッセージを表示させる表示制御手段とを備えている。
【００２６】
本発明による第５の放送番組受信装置は、上記の構成の他に、同一内容の放送番組を対応付けて、少なくとも前記番組タグを含む前記放送番組に関する情報を記憶する番組情報記憶手段を含み、
前記番組情報記憶手段から取得される、受信した前記メッセージに含まれる前記番組タグにより特定される放送番組に対応付けられる該放送番組と同一内容の放送番組を、前記番組タグにより特定される放送番組として判断を行っている。
【００３０】
本発明による第１の放送番組受信方法は、
放送番組受信装置が、
放送番組を受信する放送番組受信処理と、
前記放送番組を特定する番組タグと、前記番組タグにより特定される放送番組に関連するユーザの意見とを含んで送信されるメッセージとを受信するメッセージ受信処理と、
前記番組タグにより特定される放送番組を視聴可能か否かを判断する番組視聴判断処理とを実行している。
【００３１】
本発明による第２の放送番組受信方法は、
放送番組受信装置が、
放送番組を受信する放送番組受信処理と、
前記放送番組を特定する番組タグと、前記番組タグにより特定される放送番組に関連するユーザの意見とを含んで送信されるメッセージとを受信するメッセージ受信処理と、
前記番組タグにより特定される放送番組を前記放送番組受信処理にて受信可能か否かを判断する番組受信判断処理と、
前記番組タグにより特定される該放送番組が前記番組受信判断処理により受信可能と判断された時に、表示手段に該放送番組が視聴可能であることを示すとともに前記メッセージを表示させる表示制御処理とを実行している。
【００３３】
本発明による第３の放送番組受信方法は、放送番組受信装置に、放送番組を蓄積する放送番組蓄積手段を設け、
前記放送番組受信装置が、
前記放送番組を特定する番組タグと、前記番組タグにより特定される放送番組に関連するユーザの意見とを含んで送信されるメッセージとを受信するメッセージ受信処理と、
前記番組タグにより特定される放送番組が前記放送番組蓄積手段に蓄積されているか否かを判断する番組蓄積判断処理と、
前記番組タグにより特定される該放送番組が前記番組蓄積判断処理により蓄積されていると判断された時に、表示手段に該放送番組が視聴可能であることを示すとともに前記メッセージを表示させる表示制御処理とを実行している。
【００３４】
本発明による第４の放送番組受信方法は、放送番組受信装置に、放送番組を蓄積する放送番組蓄積手段を設け、
前記放送番組受信装置が、
前記放送番組を受信する放送番組受信処理と、
前記放送番組を特定する番組タグと前記番組タグにより特定される放送番組に関連するユーザの意見とを含んで送信されるメッセージを受信するメッセージ受信処理と、
前記番組タグにより特定される放送番組を前記放送番組受信手段が受信し、かつ、前記放送番組蓄積手段が蓄積するよう予約可能か否かを判断する番組予約判断処理と、
前記番組タグにより特定される該放送番組が前記番組予約判断処理により予約不能と判断された時に、表示手段に該放送番組が予約可能であることを示すとともに前記メッセージを表示させる表示制御処理とを実行している。
【００３５】
本発明による第５の放送番組受信方法は、上記の構成の他に、放送番組受信装置に、同一内容の放送番組を対応付けて、少なくとも前記番組タグを含む前記放送番組に関する情報を記憶する番組情報記憶手段を設け、
前記放送番組受信装置が、前記番組情報記憶手段から取得される、受信した前記メッセージに含まれる前記番組タグにより特定される放送番組に対応付けられる該放送番組と同一内容の放送番組を、前記番組タグにより特定される放送番組として判断を行っている。
【００３９】
すなわち、本発明の放送番組関連情報処理装置では、テキスト等の情報から構成されるメッセージの中にＴＶあるいはラジオ番組に対して、リンクを張るための情報の書式として番組タグを定義して導入する。
【００４０】
この番組タグには、各番組を識別するために使用するための「番組を特定するタグ」と、毎週放映される番組等、定期的に放映される番組や不定期に放送される同じタイトルあるいはシリーズの番組に対してリンクを張るための「シリーズものの番組を一括して特定するタグ」と、タグによって特定される番組に含まれるシーンを特定するタグである「番組を特定しかつ番組中のある時点を特定するタグ」とがある。この番組タグは過去放送された番組、現在放映中の番組、及びこれから放送される番組に対して適用可能である。
【００４１】
ここで、メッセージとはＷｅｂページ・メール・ＢＢＳ・チャットによって伝達されるテキストを中心とする情報構造のことである。一つのメッセージには複数の番組タグが含まれることがある。また、メッセージにはテキストだけでなく、画像や他のメッセージへのリンク等の情報が含まれることがある。
【００４２】
本発明のメッセージとＥＰＧ（Ｅｌｅｃｔｒｉｃ  Ｐｒｏｇｒａｍ  Ｇｕｉｄｅ：電子番組表）との違いは、ＥＰＧが番組のタイトルや出演者等のＴＶ番組を紹介するための情報だけから構成されるのに対して、本発明でのメッセージは番組を参照するための番組タグを持つが、番組の関連情報だけではなく、その他のさまざまな情報を含む点にある。
【００４３】
本発明はテレビだけでなく、ラジオも対象としている。したがって、以下の説明で「視聴」とある場合には、映像を含まず音声のみの「聴取」の意味も含む。また、「録画」とある場合には、音声のみの「録音」も含まれる。
【００４４】
より具体的に、本発明の第１の放送番組関連情報処理装置は、番組視聴に基づいて番組タグを含むメッセージを作成するメッセージ作成手段を有している。メッセージ作成手段は、ユーザがメッセージの作成中に、ユーザから番組タグの挿入の指示を受けて、録画中あるいは放送中の放映番組、または再生中の蓄積済み番組の表示制御を行う番組表示制御手段から視聴中の番組に関する情報を受取り、その情報から番組タグを作成し、作成した番組タグをメッセージの中のユーザが指定した場所に挿入している。
【００４５】
本発明の第２の放送番組関連情報処理装置は、ＥＰＧに基づいて番組タグが含まれたメッセージを作成するメッセージ作成手段を有している。メッセージ作成手段は、ユーザがメッセージの作成中に、ユーザからの番組タグの挿入の指示を受けて、ＥＰＧから挿入したい番組に関する情報を受取り、その情報から番組タグを作成し、作成した番組タグをメッセージの中のユーザが指定した場所に挿入している。
【００４６】
本発明による第３の放送番組関連情報処理装置は、メッセージ中の番組タグで示される番組を表示するメッセージ表示手段を有している。メッセージ表示手段は、メッセージ表示中にユーザが指定した番組タグの情報にしたがって番組表示制御手段に対し、指定された番組の再生あるいは指定された番組の指定されたシーンの再生の指示を行っている。
【００４７】
本発明による第４の放送番組関連情報処理装置は、メッセージ中の番組タグで示される番組を録画するメッセージ表示手段を有している。メッセージ表示手段は、メッセージ表示中にユーザが指定した番組タグの情報にしたがって番組予約手段に対し、指定された番組の録画予約の指示を行っている。
【００４８】
本発明による第５の放送番組関連情報処理装置は、ユーザから指定された番組タグで指定された番組に対してその番組が放送前であったら録画予約し、放送中でありかつ視聴可能であれば表示を行い、すでに蓄積済みであれば再生表示を行うメッセージ表示手段を有している。つまり、本発明による第５の放送番組関連情報処理装置では、上記の指定された番組の録画予約や再生表示等のどの動作を行うのかを番組タグの内容と、現在の時刻等の情報から自動的に決定するようにしている。
【００４９】
メッセージ表示手段は、メッセージ表示中にユーザが指定した番組タグで指定された番組が放送前であればユーザが指定した番組タグの情報にしたがって番組予約手段に対して指定された番組の録画予約の指示を行い、放送中あるいは録画されていればユーザが指定した番組タグの情報にしたがって番組表示制御手段に対して指定された番組の再生あるいは指定された番組の指定されたシーンの再生の指示を行っている。
【００５０】
本発明による第６の放送番組関連情報の関連付け方法は、メッセージ中の番組タグに関して、現在の時刻等の情報からその番組タグで指定された番組が放送前の状態、放送中あるいは放送済みだが録画されている状態、放送済みで録画されていない状態という３状態のいずれであるかを自動的に判定し、番組タグで指定された番組の状態をユーザにわかるように区別して表示することで、ユーザに番組の状態をわかりやすく示すメッセージ表示手段を有している。
【００５１】
メッセージ表示手段は、表示対象のメッセージ中の番組タグに関して、その番組タグで指定された番組が放送前であれば、録画予約ができることを示す表現法で番組タグを表示し、放送中あるいは放送済みで録画されていれば、表示ができることを示す表現法で番組タグを表示し、放送済みで録画されていなければ、表示できないことを示す表現法で番組タグを表示している。この表現法としては番組タグの色・フォント・文字修飾法（下線・太字・斜体・網掛け等）を変える方法や、状態を示す文字列を表示する方法等がある。
【００５２】
本発明による第７の放送番組関連情報処理装置は、同一内容の番組が地域によって放送局や放送時間が異なる場合に、メッセージ中に埋め込まれた番組タグを、メッセージの受信者の地域において、放映された同一内容の番組の番組タグに変換するタグ変換手段を有している。
【００５３】
タグ変換手段は地域毎に異なる番組タグ間の対応関係のデータベースによって、異なる地域から送られたメッセージ中の番組タグを、ユーザの地域に即して変換を行っている。その際のメッセージの表示としては上述した本発明による第３及び第４の放送番組関連情報処理装置による方法が使用可能である。
【００５４】
本発明による第８の放送番組関連情報処理装置は、上記の効果をユーザの地域用のＥＰＧから同じ番組名の番組を探すことで実現するタグ変換手段を有している。タグ変換手段は、異なる地域から送られたメッセージ中の番組タグを、番組タグの情報からユーザの地域用のＥＰＧを用いて、ユーザの地域に即した番組タグに変換を行ってい。この場合も、メッセージの表示としては上述した本発明による第３及び第４の放送番組関連情報処理装置による方法が使用可能である。
【００５５】
本発明による第９の放送番組関連情報処理装置は、メッセージを手に入れる際に、ユーザの地域をメッセージが格納されていたサーバに知らせ、サーバでユーザの地域に対応した番組タグに変換するメッセージ表示手段を有している。
【００５６】
メッセージ表示手段は、メッセージを格納したサーバに受信者の地域を指定し、サーバは送信するメッセージ中の番組タグをユーザの地域に即して変換を行った後にメッセージ表示手段にメッセージを送信している。この場合、メッセージの表示としては上述した本発明による第３及び第４の放送番組関連情報処理装置による方法が使用可能であり、タグの変換としては上述した本発明による第７の放送番組関連情報処理装置による方法が使用可能である。
【００５７】
本発明による第１０の放送番組関連情報処理装置は、同一内容の番組が再放送により異なる時間に放映される場合に、メッセージ中に埋め込まれた番組タグを、放送中または録画されている同一内容の番組の番組タグに変換するタグ変換手段を有している。
【００５８】
タグ変換手段は、メッセージ中の番組タグで指定された番組が放送済みでかつ録画していなかった場合に、放映時間毎に異なる番組タグ間の対応関係のデータベースによって、メッセージ中の番組タグを、放送中あるいは録画されている番組の番組タグに変換している。この場合、メッセージの表示としては上述した本発明による第３の放送番組関連情報処理装置による方法が使用可能である。
【００５９】
本発明による第１１の放送番組関連情報処理装置は、上記のタグ変換手段がＥＰＧから同じ番組名の番組を探すようにしている。タグ変換手段はメッセージ中の番組タグで指定された番組が放送済みでかつ録画していなかった場合に、番組タグの情報からＥＰＧを用いて、放送中あるいは放送済みでかつ録画してある番組の番組タグに変換している。この場合、メッセージの表示としては上述した本発明による第３の放送番組関連情報処理装置による方法が使用可能である。
【００６０】
本発明による第１２の放送番組関連情報処理装置は、メッセージを手に入れる際に、録画してある番組の情報をサーバに知らせ、サーバで再生可能な番組タグに変換するメッセージ表示手段を有している。
【００６１】
メッセージ表示手段は、メッセージを格納したサーバに録画済の番組の番組タグを送り、サーバは送信するメッセージ中の番組タグのうち、ユーザが録画してある番組と同一内容のものがあった場合に、ユーザが録画してある番組の番組タグに変換を行った後にメッセージ表示手段にメッセージを送信している。この場合、メッセージの表示としては上述した本発明による第３の放送番組関連情報処理装置による方法が使用可能である。
【００６２】
本発明による第１３の放送番組関連情報処理装置は、同一内容の番組が再放送により異なる時間に放映される場合に、メッセージ中に埋め込まれた番組タグを、放送前の同一内容の番組の番組タグに変換するタグ変換手段を有している。
【００６３】
タグ変換手段はメッセージ中の番組タグで指定された番組が放送済みであった場合に、放映時間毎に異なる番組タグ間の対応関係のデータベースによって、メッセージ中の番組タグを、放送前の番組タグに変換している。この場合、メッセージの表示としては上述した本発明による第４の放送番組関連情報処理装置による方法が使用可能である。
【００６４】
本発明による第１４の放送番組関連情報処理装置は、上記のタグ変換手段がＥＰＧから同じ番組名の番組を探すようにしている。タグ変換手段は、メッセージ中の番組タグで指定された番組が放送済みであった場合に、番組タグの情報からＥＰＧを用いて、放送前の番組の番組タグに変換している。この場合、メッセージの表示としては上述した本発明による第４の放送番組関連情報処理装置による方法が使用可能である。
【００６５】
本発明による第１５の放送番組関連情報処理装置は、サーバで放送前の番組タグに変換するようにしている。サーバは送信するメッセージ中の番組タグのうちの放送済みのものに関して、同一内容の放送前の番組があった場合に、放送前の番組の番組タグに変換を行った後にメッセージ表示手段にメッセージを送信している。この場合、メッセージの表示としては上述した本発明による第４の放送番組関連情報処理装置による方法が使用可能である。
【００６６】
これによって、インタネットを用いたＷｅｂページ・メール・ＢＢＳ・チャットを介して提供されるテレビ及びラジオ番組に関する情報を用いて、その提供された情報が示す番組の視聴及び録画を容易に行うことが可能となる。
【００６７】
また、視聴中の番組及びＥＰＧ（電子番組表）のような番組表からＷｅｂページ・メール・ＢＢＳ・チャット等に番組情報を容易に埋め込むことが可能となる。
【００６８】
さらに、テレビ及びラジオ番組はその放送する局によって同じ番組であっても放送する時間等が異なる場合がある。このような地域による差を埋めることも可能となる。
【００６９】
さらにまた、既に放送済みの番組は録画していなかった場合に視聴することができない。しかしながら、番組の再放送が視聴したいと考えた時点で予定されている場合もありえる。このような場合に録画を容易に行うことが可能となる。
【００７０】
上記のテレビ及びラジオの番組の録画や録音は私的な用途でしか認められていない。インタネットによってテレビやラジオ番組に関して何らかの情報発信をしようとした場合、著作権等の問題から番組の映像や音声を送ることはできない。そのため、文章等放送局等の著作権の対象とならない情報だけで情報発信者の意図を表現しなければならないが、このような情報だけで情報発信者の意図が正確に表現しきれるとは限らない。
【００７１】
そこで、インターネットを介して発信する情報としては著作権の対象とならない情報だけにとどめ、発信された情報と関連した相手のＰＣ等に録画あるいは録音された映像等を、発信された情報とともに受け手に提示することによって、発信者の意図をより正確に伝えることが可能となる。
【００７２】
本発明では上述したような情報発信者と情報の受け手との間で正確に意図が伝えられるようにするための発信する情報の作成方法と、発信された情報を提示する方法が提供可能となる。
【００７３】
【発明の実施の形態】
次に、本発明の実施の形態について説明する。本発明の実施の形態では、メッセージに付加する番組タグに特徴がある。番組タグはテキスト情報から構成されるメッセージ中に含めるために、メッセージ中の他のテキストと区別することができるようにする必要がある。
【００７４】
メッセージ中の他のテキストと区別するための方法としては、メッセージがＨＴＭＬ（Ｈｙｐｅｒ  Ｔｅｘｔ  Ｍａｒｋｕｐ  Ｌａｎｇｕａｇｅ）データのような構造化されたデータの場合には、データの形式によって番組タグを区別可能にする。つまり、ＨＴＭＬデータの場合には、専用のタグによって番組タグを識別させている。
【００７５】
また、メッセージがテキストのような構造化されていないデータの場合には、書式を決めることによって番組タグを他のテキストと区別可能にする。書式の例を以下に示す。この例は、“ｆｏｏ”が番組情報であり、“ｔｖｔａｇ：／／”を“ｆｏｏ”の前に、“  ”（スペース）を“ｆｏｏ”の後ろにつける書式である。つまり、“ｔｖｔａｇ：／／ｆｏｏ  ”となる。
【００７６】
より具体的な例としては、
”ｔｖｔａｇ：／／放送局名−放送日−放送開始時間  ”
”ｔｖｔａｇ：／／放送局名−放送日−放送開始時間−シーン開始の時間  ”
”ｔｖｔａｇ：／／放送局名−放送日−放送開始時間−番組名  ”
”ｔｖｔａｇ：／／放送局名−放送日−放送開始時間−番組名−シーン開始の時間  ”
等が挙げられる。
【００７７】
番組タグはさまざまな番組情報を含むが、メッセージ表示手段によって表示される番組タグは番組タグ全体ではなく、そのうちの一部（ユーザが見てどの番組かわかる程度の情報）の場合がある。例えば、番組タグが“放送局・放送日・放送開始時間・番組の長さ・番組名”を含んでいた場合に、メッセージ表示手段がユーザに表示する場合には“番組名”、“放送日・番組名”しか表示しない等が考えられる。
【００７８】
また、番組タグが、
”ｔｖｔａｇ：／／放送局名−放送日−放送開始時間  表示文字列  ”
の例のように、“番組情報（例では放送局名・放送日・放送開始時間）”と“表示文字列”とから構成される場合、メッセージ表示手段によって実際に表示される情報は“表示文字列”だけの場合もある。
【００７９】
次に、番組タグ中に含まれる情報としては、番組を特定するタグ、シリーズものの番組を一括して特定するタグ、番組を特定しかつ番組中のある時点を特定するタグ等がある。
【００８０】
番組タグが番組を特定するために使用される場合の番組タグに含まれる情報としては、
例１．放送局＋放送日＋放送開始時間
例２．地域＋チャネル番号＋放送日＋放送開始時間
例３．例１（例２）＋番組の長さ
例４．例１（例２、例３）＋番組名
例５．番組名＋放送日
例６．番組名（シリーズ名）＋サブタイトル
例７．番組名（シリーズ名）＋放送回数
例８．例１（例２、例３）＋例６（例７）
等がある。この場合、“放送局”の表記としては放送局の社名や略称が使用され、“地域”の表記としては“関東”等の地域名や、県名や地域を示す略称が使用される。
【００８１】
番組タグがシリーズものの番組を一括して特定するために使用される場合の番組タグに含まれる情報としては、
例１．シリーズ名
例２．放送局＋シリーズの第一回の放送の放送日＋シリーズの第一回の放送の放送開始時間
例３．放送局＋放送期間＋放送する曜日（複数の場合あり）＋放送開始時間
例４．例３＋番組の長さ
例５．例１＋例２（例３，例４）
等がある。
【００８２】
番組タグが番組を特定しかつ番組中のある時点を特定するために使用される場合の番組タグに含まれる情報としては、
例１．番組を特定するタグ＋番組開始からシーン開始までの相対時間
例２．番組を特定するタグ＋データ放送中にシーンを特定する情報
等がある。
【００８３】
この形式は番組を特定するタグの情報にシーンを特定する情報をつけることで構成される。また、ＢＳ（Ｂｒｏａｄｃａｓｔｉｎｇ  Ｓａｔｅｌｌｉｔｅ）あるいは地上波のディジタル放送では映像や音声だけでなく、番組に関連した情報もデータ放送として送られてくる。番組に関連した情報の中にシーンの開始点等のシーン関連の情報が含まれることも考えられる。
【００８４】
シリーズものの番組を一括して特定する形式を録画予約に用いる場合には、このシリーズに該当する予約可能な全ての放送を予約する方法がある。また、このシリーズに該当する予約可能で最も放送までの期間が短い放送の録画を予約する方法もある。さらに、このシリーズに該当する予約可能で放送を提示し、ユーザが指定した放送のみを録画を予約する方法もある。
【００８５】
シリーズものの番組を一括して特定する形式を、この形式を視聴に用いる場合には、このシリーズに該当する録画済の番組を同時に表示する方法がある。また、このシリーズに該当する録画済の番組を放送順あるいは放送の逆順等の順で順に表示していく方法がある。
【００８６】
さらに、このシリーズに該当する録画済の番組のうち最新のもの、あるいは最も古いものを表示する方法がある。さらにまた、このシリーズに該当する録画済の番組の一覧を表示し、ユーザに選択させ、ユーザが選択したものを表示する方式もある。
【００８７】
番組タグが上述した３種類のどの用い方をされているかを区別する方法としては、番組タグの書式で区別する方法や、番組情報以外に用い方を示した情報を付加して区別する方法がある。
【００８８】
番組タグ中に番組情報として“放送局・放送日・放送開始時間・番組の長さ”が含まれている場合、ＥＰＧ（Ｅｌｅｃｔｒｉｃ  Ｐｒｏｇｒａｍ  Ｇｕｉｄｅ：電子番組表）を用いて番組の情報を取得しなくとも、番組タグだけで番組を予約録画することができる。
【００８９】
次に、本発明の実施例について図面を参照して説明する。図１は本発明の第１の実施例による放送番組関連情報処理装置の構成を示すブロック図である。図１において、本発明の第１の実施例による放送番組関連情報処理装置はユーザの入力及び番組表示制御手段２から入手した番組タグからメッセージ５を作成するメッセージ作成手段１と、録画データを図示せぬディスプレイ等に表示するための番組表示制御手段２と、録画してある番組の情報を記憶した録画管理データ３と、テレビあるいはラジオ放送を録画したデータが保存された録画データ４とから構成されている。
【００９０】
メッセージ作成手段１はユーザの指示によってメッセージ５を作成する手段であり、作成したメッセージ５をファイルとして保存、あるいは図示せぬインタネット経由でサーバ（図示せず）等に転送することができる。また、メッセージ作成手段１はＷｅｂページの作成アプリケーション、メールのエディタ、Ｗｅｂブラウザ、チャットのアプリケーション等である。
【００９１】
番組表示制御手段２はテレビあるいはラジオ番組の映像や音声である録画データをユーザの指示によって再生する。尚、番組表示制御手段２は録画データ４とともに、録画した番組関連情報を記録した録画管理データ３も使用する。
【００９２】
図２は図１の番組表示制御手段２の番組タグ作成処理を示すフローチャートであり、図３は図１のメッセージ作成手段１でのメッセージ中に番組タグを挿入する処理を示すフローチャートである。これら図１〜図３を参照して本発明の第１の実施例による放送番組関連情報処理装置の動作について説明する。
【００９３】
まず、図２を参照して番組表示制御手段２の番組タグ作成処理について説明する。番組表示制御手段２は外部から番組タグ取得要求を受取ると（図２ステップＳ１）、録画管理データ３から表示中の番組の番組関連情報を取得する。
【００９４】
続いて、番組表示制御手段２は録画管理データ３から取得した番組情報を基に番組タグを作成し（図２ステップＳ２）、要求元に作成した番組タグを返却する（図２ステップＳ３）。
【００９５】
番組タグがシーン情報も含む場合には、番組関連情報を取得する段階で、再生中のシーンに関するシーン情報も取得し、番組タグ作成時にこのシーン情報も利用する。
【００９６】
次に、図３を参照してメッセージ作成手段１でのメッセージ５中に番組タグを挿入する処理について説明する。ユーザがメッセージ５中に番組タグを挿入することをメッセージ作成手段１に指示すると、メッセージ作成手段１は番組表示制御手段２に番組タグ取得要求を送る（図３ステップＳ１１）。番組表示制御手段２から番組タグが返却されたら、返却された番組タグをメッセージ５中に挿入する（図３ステップＳ１２）。
【００９７】
このように、ユーザが視聴中の番組に対応した番組タグを含んだメッセージ５を番組表示制御手段２で容易に作成することができる。このメッセージ５を用いてテレビやラジオ番組に関する情報をインタネットを介してＷｅｂページ・メール・ＢＢＳ・チャット等によって発信することができる。
【００９８】
図４は本発明の第２の実施例による放送番組関連情報処理装置の構成を示すブロック図である。図４において、本発明の第２の実施例による放送番組関連情報処理装置はユーザの入力及び番組表示制御手段２から入手した番組タグからメッセージを作成するメッセージ作成手段１と、番組受信手段６から送られてきた番組をディスプレイ等に出力する番組表示制御手段２と、ＴＶあるいはラジオ放送を受信しデータ形式を変換する番組受信手段６とから構成されており、番組表示制御手段２が放送中のデータを視聴する場合の構成例を示している。
【００９９】
番組受信手段６は受信した放送をＭＰＥＧ−１（Ｍｏｖｉｎｇ  Ｐｉｃｔｕｒｅ  Ｅｘｐｅｒｔｓ  Ｇｒｏｕｐ  ｐｈａｓｅ  １）やＭＰＥＧ−２（Ｍｏｖｉｎｇ  Ｐｉｃｔｕｒｅ  Ｅｘｐｅｒｔｓ  Ｇｒｏｕｐ  ｐｈａｓｅ  ２）等の番組表示制御手段２が再生可能な形式への変換を行う。
【０１００】
番組表示制御手段２は放送から取得した、あるいはインタネットから取得したＥＰＧ等から番組情報を入手し、視聴中の番組の番組関連情報を保持している。尚、メッセージ作成手段１の処理動作は上述した通りである。
【０１０１】
図５は図４の番組表示制御手段２の番組タグ作成処理を示すフローチャートである。これら図４及び図５を参照して本発明の第１の実施例による放送番組関連情報処理装置の別の構成における動作について説明する。
【０１０２】
番組表示制御手段２は外部から番組タグ取得要求を受取ると、保持している表示中の番組の番組関連情報から番組タグを作成し（図５ステップＳ２１）、要求元に作成した番組タグを返却する（図５ステップＳ２２）。尚、番組タグがシーン情報も含む場合には、再生中のシーンに関するシーン情報を番組タグ作成時に利用する。
【０１０３】
このように、ユーザが視聴中の番組に対応した番組タグを含んだメッセージ５を番組表示制御手段２で容易に作成することができる。このメッセージ５を用いてテレビやラジオ番組に関する情報をインタネットを介してＷｅｂページ・メール・ＢＢＳ・チャット等によって発信することができる。
【０１０４】
図６は本発明の第３の実施例による放送番組関連情報処理装置の構成を示すブロック図である。図６において、本発明の第３の実施例による放送番組関連情報処理装置はユーザの入力及びＥＰＧ７から作成した番組タグからメッセージ５を作成するメッセージ作成手段１と、図示せぬインタネットあるいは放送から取得したＥＰＧ７とから構成されている。
【０１０５】
ユーザはＥＰＧ７中の番組を指定し、メッセージ５中に指定した番組の番組タグを挿入するようにメッセージ作成手段１に指示を出す。メッセージ作成手段１はこのユーザの指示によってメッセージ５を作成する手段である。
【０１０６】
メッセージ作成手段１は作成したメッセージ５をファイルとして保存、あるいは図示せぬインタネット経由でサーバ（図示せず）等に転送することができる。尚、メッセージ作成手段１はＷｅｂページの作成アプリケーション、メールのエディタ、Ｗｅｂブラウザ、チャットのアプリケーション等である。
【０１０７】
図７は図６のメッセージ作成手段１でのメッセージ５中に番組タグを挿入する処理を示すフローチャートである。これら図６及び図７を参照して本発明の第３の実施例による放送番組関連情報処理装置の動作について説明する。
【０１０８】
ユーザがメッセージ５中に番組タグを挿入することをメッセージ作成手段１に指示すると、メッセージ作成手段１はＥＰＧ７から指定された番組の番組情報を取得する（図７ステップＳ３１）。
【０１０９】
続いて、メッセージ作成手段１はＥＰＧ７から取得した番組情報に基づいて番組タグを作成し、作成した番組タグをメッセージ５中に挿入する（図７ステップＳ３２）。
【０１１０】
このように、ＥＰＧ７を用いて番組に対応した番組タグを含んだメッセージ５を容易に作成することができる。このメッセージ５を用いてテレビやラジオ番組に関する情報をインタネットを介してＷｅｂページ・メール・ＢＢＳ・チャット等によって発信することができる。
【０１１１】
図８は本発明の第４の実施例による放送番組関連情報処理装置の構成を示すブロック図である。図８において、本発明の第４の実施例による放送番組関連情報処理装置はメッセージ１５を表示するメッセージ表示手段１１と、メッセージ表示手段１１から送られてきた番組タグを元に録画データ１４を図示せぬディスプレイ等に出力する番組表示制御手段１２と、録画してある番組の情報を記憶した録画管理データ１３と、テレビあるいはラジオ放送を録画したデータが保存された録画データ１４とから構成されている。
【０１１２】
メッセージ表示手段１１は図示せぬインタネットを介して入手したメッセージ１５、あるいはローカルなファイルシステム（図示せず）中のメッセージ１５をユーザに表示する。尚、メッセージ表示手段１１はメールのビュワー、Ｗｅｂブラウザ、チャットのアプリケーション等である。
【０１１３】
ユーザは表示しているメッセージ１５中の番組タグを指定してメッセージ表示手段１１に表示（再生）を要求する。ユーザから要求を受けると、メッセージ表示手段１１は番組表示制御手段１２に番組タグを指定し、再生開始を指示する。
【０１１４】
番組表示制御手段１２はメッセージ表示手段１１から再生開始が指示されると、録画管理データ１３を用いて指定された番組タグに該当する番組の録画データ１４を検索し、録画データ１４があればその再生を開始する。
【０１１５】
図９は図８の番組表示制御手段１２での再生開始までの処理を示すフローチャートである。これら図８及び図９を参照して本発明の第４の実施例による放送番組関連情報処理装置の動作について説明する。
【０１１６】
番組表示制御手段１２はメッセージ表示手段１１から再生開始を指示されると、録画管理データを用いて指定された番組タグに該当する番組の録画データを検索する（図９ステップＳ４１）。
【０１１７】
番組表示制御手段１２はその番組が録画されていれば（図９ステップＳ４２）、その番組の再生を開始する（図９ステップＳ４３）。また、番組表示制御手段１２はその番組が録画されていなければ（図９ステップＳ４２）、その処理を終了する。尚、番組タグがシーン情報も含む場合、番組表示制御手段１２は指定されているシーンから番組の再生を開始する。
【０１１８】
このように、メッセージ１５を用いて、そのメッセージ１５中の番組タグで指定された番組をメッセージ表示手段１１及び番組表示制御手段１２によって容易に視聴することができる。
【０１１９】
図１０は本発明の第５の実施例による放送番組関連情報処理装置の構成を示すブロック図である。図１０において、本発明の第５の実施例による放送番組関連情報処理装置はメッセージ１５を表示するメッセージ表示手段１１と、メッセージ表示手段１１から送られてきた番組タグを基に番組受信手段１６から送られたきた番組を図示せぬディスプレイ等に出力する番組表示制御手段１２と、テレビあるいはラジオ放送を受信してデータ形式を変換する番組受信手段１６と、ＥＰＧ１７とから構成されている。この構成は番組表示制御手段１２が放送中のデータを視聴する場合の例を示している。
【０１２０】
ＥＰＧ１７は放送から取得した、あるいはインタネットから取得した電子番組表である。メッセージ表示手段１１の処理動作は上述した通りである。番組表示制御手段１２はメッセージ表示手段１１から再生開始を指示されると、ＥＰＧ１７を使用して番組タグに該当する番組が受信可能かどうかを判定する。受信可能であった場合、番組表示制御手段１２は番組受信手段１６に番組タグで指定された番組の受信を指示し、番組受信手段１６から送られてきた番組の表示を行う。
【０１２１】
図１１は図１０の番組表示制御手段１２での再生開始までの処理を示すフローチャートである。これら図１０及び図１１を参照して本発明の第５の実施例による放送番組関連情報処理装置の動作について説明する。
【０１２２】
番組表示制御手段１２はメッセージ表示手段１１から再生開始を指示されると、ＥＰＧ１７を使用して番組タグに該当する番組が受信可能かどうか、つまり該当する番組が放送中かどうかを判定する（図１１ステップＳ５１）。
【０１２３】
受信可能であった場合、番組表示制御手段１２は番組受信手段１６に番組タグで指定された番組の受信を指示し（図１１ステップＳ５２）、番組受信手段１６から送られてきた番組の表示を行う（図１１ステップＳ５３）。また、受信可能であった場合、番組表示制御手段１２は処理を終了する。
【０１２４】
このように、メッセージ１５を用いて、そのメッセージ１５中の番組タグで指定された番組をメッセージ表示手段１１及び番組表示制御手段１２によって容易に視聴することができる。
【０１２５】
図１２は本発明の第６の実施例による放送番組関連情報処理装置の構成を示すブロック図である。図１２において、本発明の第６の実施例による放送番組関連情報処理装置はメッセージ１５を表示するメッセージ表示手段１１と、メッセージ表示手段１１から送られてきた番組タグを基に番組受信手段１６から送られたきた番組あるいは録画データ１４を図示せぬディスプレイ等に出力する番組表示制御手段１２と、録画してある番組の情報を記憶した録画管理データ１３と、テレビあるいはラジオ放送を録画したデータが保存された録画データ１４と、テレビあるいはラジオ放送を受信してデータ形式を変換する番組受信手段１６と、ＥＰＧ１７とから構成されており、番組表示制御手段１２が放送中のデータと録画データ１４との両者を使い分ける場合の構成例を示している。
【０１２６】
ＥＰＧ１７は放送から取得した、あるいはインタネットから取得した電子番組表である。メッセージ表示手段１１の処理動作は上述した通りである。番組表示制御手段１２はメッセージ表示手段１１から再生開始を指示されると、録画管理データ１３を用いて指定された番組タグに該当する番組の録画データ１４を検索し、録画データ１４があった場合に再生を開始する。
【０１２７】
また、番組表示制御手段１２は録画データ１４がなかった場合、ＥＰＧ１７を使用して番組タグに該当する番組が受信可能かを判定し、受信可能であれば番組受信手段１６に番組タグで指定された番組の受信を指示し、番組受信手段１６から送られてきた番組の表示を行う。
【０１２８】
図１３は図１２の番組表示制御手段１２での再生開始までの処理を示すフローチャートである。これら図１２及び図１３を参照して本発明の第６の実施例による放送番組関連情報処理装置の動作について説明する。
【０１２９】
番組表示制御手段１２はメッセージ表示手段１１から再生開始を指示されると、録画管理データ１３を用いて指定された番組タグに該当する番組の録画データ１４を検索する（図１３ステップＳ６１）。番組表示制御手段１２は録画データ１４があれば（図１３ステップＳ６２）、その録画データ１４の再生を開始する（図１３ステップＳ６３）。
【０１３０】
番組表示制御手段１２は録画データがなかった場合（図１３ステップＳ６２）、ＥＰＧ１７を使用して番組タグに該当する番組が受信可能かどうか、つまり該当する番組が放送中かどうかを判定する（図１３ステップＳ６５）。
【０１３１】
番組表示制御手段１２は受信可能であった場合、番組受信手段１６に番組タグで指定された番組の受信を指示し（図１３ステップＳ６６）、番組受信部から送られてきた番組の表示を行う（図１３ステップＳ６４）。
【０１３２】
このように、メッセージ１５を用いて、そのメッセージ１５中の番組タグで指定された番組をメッセージ表示手段１１及び番組表示制御手段１２によって容易に視聴することができる。
【０１３３】
図１４は本発明の第７の実施例による放送番組関連情報処理装置の構成を示すブロック図である。図１４において、本発明の第７の実施例による放送番組関連情報処理装置はメッセージ１５を表示するメッセージ表示手段１１と、録画してある番組の情報を記憶した録画管理データ１３と、テレビあるいはラジオ放送を録画したデータが保存された録画データ１４と、ＥＰＧ１７と、メッセージ表示手段１１から送られてきた番組タグを基に録画予約データ１９に録画予約を登録する番組録画予約手段１８と、録画予約情報を記録した録画予約データ１９と、録画予約データ１９を基にテレビあるいはラジオを受信して録画データ１４に番組を記録しかつＥＰＧ１７を基に記録した番組の関連情報を録画管理データ１３に記録する番組録画手段２０とから構成されている。
【０１３４】
ＥＰＧ１７は放送から取得した、あるいはインタネットから取得した電子番組表である。番組録画手段２０は録画予約データ１９を基に予約された番組を受信し、ＭＰＥＧ−１やＭＰＥＧ−２等の番組表示制御手段（図示せず）が再生可能な形式に変換し、録画データ１４に記録を行う。その際、番組録画手段２０は記録した番組の関連情報をＥＰＧ１７から取得し、録画管理データ１３に記録する。
【０１３５】
メッセージ表示手段１１はインタネットから入手したメッセージ１５、あるいはローカルなファイルシステム中のメッセージ１５をユーザに表示する。尚、メッセージ表示手段１１はメールのビュワー、Ｗｅｂブラウザ、チャットのアプリケーション等である。
【０１３６】
ユーザは表示しているメッセージ１５中の番組タグを指定してメッセージ表示手段１１に録画予約を要求する。ユーザから要求を受けると、メッセージ表示手段１１は番組録画予約手段１８に番組タグを指定して録画予約を指示する。番組録画予約手段１８は指定された番組タグを基に録画予約データ１９に番組の録画を登録する。
【０１３７】
このように、メッセージ１５を用いて、そのメッセージ１５中の番組タグで指定された番組をメッセージ表示手段１１及び番組録画予約手段１８によって録画予約データ１９に番組の録画を登録することで、録画予約を容易に行うことができる。
【０１３８】
図１５は本発明の第８の実施例による放送番組関連情報処理装置の構成を示すブロック図である。図１５において、本発明の第８の実施例による放送番組関連情報処理装置はメッセージ１５を表示するメッセージ表示手段１１と、表示予約判定手段２１から送られてきた番組タグを基に録画データ１４を図示せぬディスプレイ等に出力する番組表示制御手段１２と、録画してある番組の情報を記憶した録画管理データ１３と、テレビあるいはラジオ放送を録画したデータが保存された録画データ１４と、ＥＰＧ１７と、表示予約判定手段２１から送られてきた番組タグを基に録画予約データ１９に録画予約を登録する番組録画予約手段１８と、録画予約情報を記録した録画予約データ１９と、録画予約データ１９を基にテレビあるいはラジオを受信して録画データ１４に番組を記録しかつＥＰＧ１７を基に記録した番組の関連情報を録画管理データ１３に記録する番組録画手段２０と、メッセージ表示手段１１から送られてきた番組タグを基に放送済みであれば番組表示制御手段１２に指示を出しかつ未放送であれば番組録画予約手段１８に指示を出す表示予約判定手段２１とから構成されている。
【０１３９】
メッセージ表示手段１１は番組タグを指定して指示を送る先が表示予約判定手段２１に変更されていることを除いて、本発明の第４〜第７の実施例と同様の構成及び動作となっている。
【０１４０】
また、本発明の第８の実施例による放送番組関連情報処理装置の中の本発明の第４の実施例による放送番組関連情報処理装置に含まれる各手段は、番組表示制御手段１２への指示が表示予約判定手段２１からくることを除いて、本発明の第４の実施例と同様の構成及び動作となっている。
【０１４１】
さらに、本発明の第８の実施例による放送番組関連情報処理装置の中の本発明の第７の実施例による放送番組関連情報処理装置に含まれる各手段は、番組録画予約手段１８への指示が表示予約判定手段２１からくることを除いて、本発明の第７の実施例と同様の構成及び動作となっている。
【０１４２】
図１６は図１５の表示予約判定手段２１の動作を示すフローチャートである。これら図１５及び図１６を参照して本発明の第８の実施例による放送番組関連情報処理装置の動作について説明する。
【０１４３】
表示予約判定手段２１はメッセージ表示手段１１から指示が届くと、指定された番組タグに該当する番組をＥＰＧ１７で検索し（図１６ステップＳ７１）、その検索の結果から、指定された番組が放送前であるか否かを判定する（図１６ステップＳ７２）。
【０１４４】
表示予約判定手段２１はその判定の結果、放送前だとわかった場合、番組録画予約手段１８にメッセージ表示手段１１から指定された番組タグを通知して録画予約を指示し（図１６ステップＳ７３）、放送済みだとわかった場合、番組表示制御手段１２にメッセージ表示手段１１から指定された番組タグを通知して番組の再生を指示する（図１６ステップＳ７４）。
【０１４５】
このように、メッセージ１５を用いて、そのメッセージ１５中の番組タグに対応した番組が録画可能であるか、視聴可能であるかを表示予約判定手段２１で自動的に判定することで、視聴あるいは録画予約を容易に行うことができる。
【０１４６】
尚、本発明の第８の実施例による放送番組関連情報処理装置は本発明の第６の実施例による放送番組関連情報処理装置の構成にも対応させることができるが、その場合には番組視聴のための部分を入れ替える必要がある。
【０１４７】
図１７は本発明の第９の実施例による放送番組関連情報処理装置の構成を示すブロック図である。図１７において、本発明の第９の実施例による放送番組関連情報処理装置は録画してある番組の情報を記憶した録画管理データ１３と、ＥＰＧ１７と、メッセージ１５中の番組タグをＥＰＧ１７と録画管理データ１３とを用いて、録画可能、視聴可能、視聴不可の３種類に分類し、その分類にしたがって番組タグの表示形式を変更してメッセージ１５を表示する状態対応メッセージ表示手段２２とから構成されている。
【０１４８】
図１８は図１７の状態対応メッセージ表示手段２２のメッセージ表示までの動作を示すフローチャートである。これら図１７及び図１８を参照して本発明の第９の実施例による放送番組関連情報処理装置の動作について説明する。
【０１４９】
状態対応メッセージ表示手段２２はメッセージ１５を受取ると、メッセージ１５中の番組タグ以外の部分を表示し（図１８ステップＳ８１）、メッセージ１５中の最初に出てくる番組タグを対象にしてＥＰＧ１７から番組タグで特定される番組が放送前かどうかを調べる（図１８ステップＳ８２，Ｓ８３）。
【０１５０】
状態対応メッセージ表示手段２２はその番組が放送前であれば、番組タグを録画可能状態の表示形式で表示する（図１８ステップＳ８４）。また、状態対応メッセージ表示手段２２は放送前でなかった場合、録画管理データ１３を用いて番組タグで特定される番組が録画されているかどうかを調べる（図１８ステップＳ８６，Ｓ８７）。
【０１５１】
状態対応メッセージ表示手段２２は録画されていた場合、番組タグを視聴可能状態の表示形式で表示する（図１８ステップＳ８８）。また、状態対応メッセージ表示手段２２は録画されていなかった場合、視聴不能状態で表示する（図１８ステップＳ８９）。
【０１５２】
表示が終わると、状態対応メッセージ表示手段２２はメッセージ１５中に表示していない番組タグがあれば（図１８ステップＳ８５）、そのタグを対象とするＥＰＧ１７の検索に戻る（図１８ステップＳ８２）。状態対応メッセージ表示手段２２は全番組タグが表示されたら（図１８ステップＳ８５）、処理を終了する。
【０１５３】
状態に合わせた表示形式としては、表示色を変える、フォントを変える、下線・太字・斜体・網掛けを施す等の番組タグの表示形式を変えるという方法がある。また、番組タグの後ろに各状態を示す記号を表示する、例えば“予約できます”、“見られます”、“見られません”等の各状態を示す文字列を後ろにつけるという方法もある。
【０１５４】
さらに、番組タグの後ろに録画可能であれば、予約を指示する際にクリックするボタンを表示し、視聴可能であれば表示を指示する際にクリックするボタンを表示し、視聴不能の場合には何も表示しないという方法もある。
【０１５５】
このように、メッセージを用いて、そのメッセージ中の番組タグに対応した番組が録画可能であるか、視聴可能かどうかを自動的に判定し、ユーザにその番組がどの状態にあるかを示すことができる。
【０１５６】
図１９は本発明の第１０の実施例による放送番組関連情報処理装置の構成を示すブロック図である。図１９において、本発明の第１０の実施例による放送番組関連情報処理装置は地域毎に異なる同一番組に対応した番組タグの対応を記した地域変換データベース２４と、指定された番組タグを指定された地域の番組タグに地域変換データベース２４を用いて変換する地域変換手段２５と、メッセージ１５中の番組タグを地域変換手段２５によって変換させかつ変換後の番組タグにメッセージ中の番組タグを置き換えて表示する地域対応メッセージ表示手段２３とから構成されている。ここで、地域変換データベース２４は図示せぬインタネット等で入手した同一番組の地域毎に異なる番組タグを記録したデータベースである。
【０１５７】
図２０は図１９の地域変換データベース２４のエントリ例を示す図である。図２０において、各エントリ個々の番組に割当てられ、各エントリは各地域用のフィールド（地域Ａ、地域Ｂ、地域Ｃ、……）からなる。
【０１５８】
各フィールドにはその地域での該当番組の番組タグが登録される。ある地域でその番組が放送されていなかった場合には、その地域のフィールドに該当番組タグなしを示す値を記録する。
【０１５９】
本発明の第４〜第６の実施例の構成中のメッセージ表示手段１１を本実施例の地域対応メッセージ表示手段２３と置き換えることで、本実施例を番組の表示に用いることができる。また、本発明の第７の実施例の構成中のメッセージ表示手段１１を本実施例の地域対応メッセージ表示手段２３と置き換えることで、本実施例を番組の録画予約に用いることもできる。
【０１６０】
図２１は図１９の地域対応メッセージ表示手段２３のメッセージを表示する際の動作を示すフローチャートである。これら図１９〜図２１を参照して本発明の第１０の実施例による放送番組関連情報処理装置の動作について説明する。尚、地域対応メッセージ表示手段２３はユーザに指定された表示対象地域の情報を持っている。
【０１６１】
まず、地域対応メッセージ表示手段２３はメッセージ１５中の未変換の番組タグを検索し（図２１ステップＳ９１）、全番組タグが変換済みであれば（図２１ステップＳ９２）、変換済みのメッセージ１５を表示する（図２１ステップＳ９５）。
【０１６２】
地域対応メッセージ表示手段２３は未変換のものがあれば（図２１ステップＳ９２）、地域変換手段２５に変換対象の番組タグと表示対象の地域とを指定し、番組タグの変換を指示し（図２１ステップＳ９３）、メッセージ中の番組タグを変換後の番組タグに置き換え（図２１ステップＳ９４）、未変換の番組タグの検索に戻る（図２１ステップＳ９１）。
【０１６３】
地域変換手段２５は地域変換データベース２４から指定された番組タグを含むエントリを探し、そのエントリに記録された番組タグ、つまり指定された地域での番組タグを返却する。尚、指定されて地域に該当番組がなかった場合には、放送されていないことを示すデータを返却する。
【０１６４】
このように、地域によって異なる番組タグが使用されていたとしても、番組タグを指定された地域に対応したものに変換することで、地域による差を隠蔽して、視聴あるいは録画予約を容易に行うことができる。
【０１６５】
また、本発明の第１０の実施例による放送番組関連情報処理装置は、地域対応メッセージ表示手段２３がユーザに指示された場合にのみ番組タグの変換を行うようにすることも可能である。
【０１６６】
さらに、本発明の第１０の実施例による放送番組関連情報処理装置は、地域対応メッセージ表示手段２３でユーザに表示するメッセージ１５に関しては地域変換手段２５によって変換される前の番組タグを表示し、番組表示制御手段、番組録画予約手段、表示予約判定手段に指示を送る際に用いる番組タグのみを地域変換手段２５によって変換したものを用いることも可能である。
【０１６７】
図２２は本発明の第１１の実施例による放送番組関連情報処理装置の構成を示すブロック図である。図２２において、本発明の第１１の実施例による放送番組関連情報処理装置はＥＰＧ１７と、指定された番組タグを指定された地域の番組タグにＥＰＧ１７を用いて変換する地域変換手段２５と、メッセージ１５中の番組タグを地域変換手段２５によって変換させかつ変換後の番組タグにメッセージ１５中の番組タグを置き換えて表示する地域対応メッセージ表示手段２３とから構成されている。
【０１６８】
本発明の第４〜第６の実施例の構成中のメッセージ表示手段１１を本実施例の地域対応メッセージ表示手段２３と置き換えることで、本実施例を番組の表示に用いることができる。
【０１６９】
また、本発明の第７の実施例の構成中のメッセージ表示手段１１を本実施例の地域対応メッセージ表示手段２３と置き換えることで、本実施例を番組の録画予約に用いることができる。
【０１７０】
本実施例の地域対応メッセージ表示手段２３は、ユーザに指定された表示対象地域の情報を持っている。また、この地域対応メッセージ表示手段２３の動作は本発明の第１０の実施例と同様である。
【０１７１】
本実施例の地域変換手段２５は指定された番組タグの番組情報中の番組名と同じ番組名を指定された地域のＥＰＧ１７から探し、その番組名の番組の番組タグを作成して返却する。尚、指定された地域に該当番組がなかった場合には、放送されていないことを示すデータを返却する。
【０１７２】
このように、地域によって異なる番組タグが使用されていたとしても、番組タグを指定された地域に対応したものに変換することで、地域による差を隠蔽して、視聴あるいは録画予約を容易に行うことができる。
【０１７３】
本発明の第１１の実施例による放送番組関連情報処理装置は、地域対応メッセージ表示手段２３がユーザに指示された場合にのみ番組タグの変換を行うようにすることも可能である。
【０１７４】
本発明の第１１の実施例による放送番組関連情報処理装置は、地域対応メッセージ表示手段２３でユーザに表示するメッセージに関して、地域変換手段２５によって変換される前の番組タグを表示し、番組表示制御手段、番組録画予約手段、表示予約判定手段に指示を送る際に用いる番組タグのみを地域変換手段２５によって変換したものを用いることも可能である。
【０１７５】
図２３は本発明の第１２の実施例による放送番組関連情報処理装置の構成を示すブロック図である。図２３において、本発明の第１２の実施例による放送番組関連情報処理装置は地域毎に異なる同一番組に対応した番組タグの対応を記した地域変換データベース２４と、サーバ２６にメッセージを要求する際に地域を指定しかつサーバ２６から送られてきた地域変換後のメッセージ２７を表示するメッセージ表示手段１１と、指定された番組タグを指定された地域の番組タグに地域変換データベース２４を用いて変換する地域変換手段２５と、メッセージ１５を地域変換手段２５を用いてメッセージ表示手段１１が指定した地域の番組タグに変換してから送信するサーバ２６とから構成されている。
【０１７６】
地域変換データベース２４の構成は本発明の第１０の実施例と同様である。また、本実施例を本発明の第４〜第６の実施例の構成に加えることで、本実施例を番組の表示に用いることができる。さらに、本実施例を本発明の第７の実施例の構成に加えることで、本実施例を番組の録画予約に用いることができる。
【０１７７】
本実施例のメッセージ表示手段１１は地域を指定してサーバ２６から表示するメッセージ、つまり地域変換後のメッセージ２７を受取る点を除いて、本発明の第３〜第７の実施例のメッセージ表示手段１１と同様である。地域変換手段２５は番組タグの変換をサーバ２６から要求される点を除いて、本発明の第１０の実施例と同様である。
【０１７８】
図２４は図２３のサーバ２６のメッセージ送信までの処理を示すフローチャートである。これら図２３及び図２４を参照して本発明の第１２の実施例による放送番組関連情報処理装置の動作について説明する。
【０１７９】
サーバ２６はメッセージ表示手段１１から地域が指定されてメッセージが要求されると、メッセージ１５中の未変換の番組タグを検索し（図２４ステップＳ１０１）、全番組タグが変換済みであれば（図２４ステップＳ１０２）、変換済みのメッセージを送信する（図２４ステップＳ１０５）。
【０１８０】
サーバ２６は未変換のものがあれば（図２４ステップＳ１０２）、地域変換手段に変換対象の番組タグと表示対象の地域情報を指定し、番組タグの変換を指示し（図２４ステップＳ１０３）、変換後の番組タグにメッセージ１５中の番組タグを置き換え（図２４ステップＳ１０４）、未変換の番組タグの検索に戻る（図２４ステップＳ１０１）。
【０１８１】
このように、地域によって異なる番組タグが使用されていたとしても、番組タグを指定された地域に対応したものに変換することで、地域による差を隠蔽して、視聴あるいは録画予約を容易に行うことができる。
【０１８２】
図２５は本発明の第１３の実施例による放送番組関連情報処理装置の構成を示すブロック図である。図２５において、本発明の第１３の実施例による放送番組関連情報処理装置は同一番組であるが、違う時刻に放送されるがために異なる番組タグを持った場合にその番組タグ間の関連を記録した再放送データベース２８と、録画してある番組の情報を記憶した録画管理データ１３と、再放送データベース２８と録画管理データ１３とを用いて指定された番組タグを同一内容の表示可能な番組タグに変換する表示可能タグ変換手段３０と、メッセージ１５中の番組タグを表示可能タグ変換手段３０に変換させてからメッセージを表示する再放送対応メッセージ表示手段２９とから構成されている。
【０１８３】
再放送データベース２８は図示せぬインタネット等で入手した同一番組の違う時刻に放送されるがために複数の番組タグを持つ場合に、同一番組の番組タグを関連付けて記録したデータベースである。
【０１８４】
図２６は図２５の再放送データベース２８のエントリ例を示す図であり、図２７は図２５の再放送データベース２８のエントリの参照例を示す図である。これら図２５〜図２７を参照して本発明の第１３の実施例による放送番組関連情報処理装置について説明する。
【０１８５】
再放送データベース２８の各エントリは番組タグと、再放送データベース２８中の他のエントリを参照するためのポインタとから構成されている（図２６参照）。ポインタにはそのエントリの番組タグが特定する番組と同一の番組を特定する番組タグを持つエントリを参照するための情報が格納されている。
【０１８６】
また、各エントリは他の１つのエントリから参照されているか、どこからも参照されていないかのいずれかの状態にある。つまり、再放送があれば他のエントリから参照され、再放送がなければどこからも参照されていない状態になる。
【０１８７】
尚、再放送に対応した番組タグを格納したエントリのポインタが、最初の放送の番組タグを格納したエントリを参照している場合もある。したがって、再放送データベース２８中の同一番組に対応したエントリは図２７に示すような片方向リストによるループを形成する。
【０１８８】
すなわち、番組タグａのエントリのポインタが番組タグｂのエントリを参照し、番組タグｂのエントリのポインタが番組タグｃのエントリを参照し、番組タグｄのエントリのポインタが番組タグａのエントリを参照している場合には、図２７に示すような片方向リストによるループが形成される。
【０１８９】
本発明の第４〜第６の実施例の構成中のメッセージ表示手段１１を本実施例の再放送対応メッセージ表示手段２９と置き換えることで、本実施例を番組の表示に用いることができる。
【０１９０】
本実施例の再放送対応メッセージ表示手段２９はメッセージ１５を変換してから表示する点を除いて本発明の第４〜第６の実施例のメッセージ表示手段１１と同様の構成及び動作となっている。
【０１９１】
図２８は図２５の再放送対応メッセージ表示手段２９のメッセージ１５の表示時の動作を示すフローチャートであり、図２９は図２５の表示可能タグ変換手段３０の動作を示すフローチャートである。これら図２５〜図２９を参照して本発明の第１３の実施例による放送番組関連情報処理装置の動作について説明する。
【０１９２】
再放送対応メッセージ表示手段２９はまずメッセージ１５中の未変換の番組タグを検索し（図２８ステップＳ１１１）、全番組タグが変換済みであれば（図２８ステップＳ１１２）、変換済みのメッセージを表示する（図２８ステップＳ１１５）。
【０１９３】
再放送対応メッセージ表示手段２９は未変換のものがあれば（図２８ステップＳ１１２）、表示可能タグ変換手段に変換対象の番組タグを指定し、番組タグの変換を指示し（図２８ステップＳ１１３）、変換後の番組タグにメッセージ１５中の番組タグを置き換え（図２８ステップＳ１１４）、未変換の番組タグの検索に戻る（図２８ステップＳ１１１）。
【０１９４】
表示可能タグ変換手段３０は指定された番組タグを検索対象の番組タグとし、検索対象の番組タグに一致する番組が録画されていないかどうかを録画管理データ１３中を検索して調べる（図２９ステップＳ１２１）。
【０１９５】
表示可能タグ変換手段３０は一致する番組が録画されていた場合（図２９ステップＳ１２２）、検索対象となった番組タグを返却して処理を終了する（図２９ステップＳ１２６）。
【０１９６】
表示可能タグ変換手段３０は一致する番組が録画されていなかった場合（図２９ステップＳ１２２）、再放送データベース２８から検索対象の番組タグのエントリを見つけ、そのエントリ中のポインタが参照するエントリを探す（図２９ステップＳ１２３）。
【０１９７】
表示可能タグ変換手段３０はそのエントリ中のポインタが参照するエントリがない場合と、ポインタで参照したエントリ中の番組タグが既に検索対象にした番組タグと一致していた場合、つまり全番組タグが検索済みであれば（図２９ステップＳ１２４）、視聴不能を返却して処理を終了する（図２９ステップＳ１２７）。
【０１９８】
表示可能タグ変換手段３０は全番組タグが検索済みでなければ（図２９ステップＳ１２４）、参照したエントリ中の番組タグを検索対象の番組タグに変更し（図２９ステップＳ１２５）、録画管理データの検索に戻る（図２９ステップＳ１２１）。
【０１９９】
このように、メッセージ１５中の番組タグに該当する番組を録画していなかった場合にも、同一番組の別の時間の放送に対応した番組タグを見つけることで、別の時間に放送された番組を録画してあれば、同じ番組を視聴することを容易に行うことができる。
【０２００】
本発明の第１３の実施例による放送番組関連情報処理装置は、再放送対応メッセージ表示手段２９がユーザに指示された場合にのみ番組タグの変換を行うようにすることも可能である。
【０２０１】
また、本発明の第１３の実施例による放送番組関連情報処理装置は、再放送対応メッセージ表示手段２９でユーザに表示するメッセージに関して、表示可能タグ変換手段３０によって変換される前の番組タグを表示し、番組表示制御手段に指示を送る際に用いる番組タグのみを表示可能タグ変換手段３０によって変換したものを用いることも可能である。
【０２０２】
図３０は本発明の第１４の実施例による放送番組関連情報処理装置の構成を示すブロック図である。図３０において、本発明の第１４の実施例による放送番組関連情報処理装置は同一番組であるが、違う時刻に放送されるがために異なる番組タグを持った場合にその番組タグ間の関連を記録した再放送データベース２８と、録画してある番組の情報を記憶した録画管理データ１３と、テレビあるいはラジオ放送を録画したデータが保存された録画データ１４と、メッセージ１５を表示するメッセージ表示手段１１と、メッセージ表示手段１１から送られてきた番組タグを基に録画管理データ１３と再放送データベース２８とを用いて再生可能な番組タグを検索する再放送検索手段３１と、再放送検索手段３１から送られてきた番組タグを基に録画データ１４を図示せぬディスプレイ等に出力する番組表示制御手段１２とから構成され、メッセージ表示手段１１が表示するメッセージ１５を変更せずに、番組の表示を指示する際に番組タグを変換するようにしている。
【０２０３】
再放送データベースは上記の本発明の第１０の実施例の再放送データベース２８と同様の構成及び動作となっている。本実施例でのメッセージ表示手段１１は、再生の指示を再放送検索手段３１に送る点を除いて、本発明の第４〜第６の実施例のメッセージ表示手段１１と同様の構成及び動作となっている。また、番組表示制御手段１２は再生の指示が再放送検索手段３１からくる点を除いて、本発明の第４〜第６の実施例の番組表示制御手段１２と同様の構成及び動作となっている。
【０２０４】
図３１は図３０の再放送検索手段３１がメッセージ表示手段１１から再生の指示を受取った場合の動作を示すフローチャートである。これら図３０及び図３１を参照して本発明の第１４の実施例による放送番組関連情報処理装置の動作について説明する。
【０２０５】
再放送検索手段３１は再生指示がくると、指定された番組タグを検索対象の番組タグとし、検索対象の番組タグに一致する番組が録画されていないかどうかを録画管理データ１３中を検索して調べる（図３１ステップＳ１３１）。
【０２０６】
再放送検索手段３１は一致する番組が録画されていた場合（図３１ステップＳ１３２）、番組表示制御手段１２に検索対象となった番組タグを指定して再生を指示し（図３１ステップＳ１３６）、処理を終了する。
【０２０７】
再放送検索手段３１は一致する番組が録画されていなかった場合（図３１ステップＳ１３２）、再放送データベース２８から検索対象の番組タグのエントリを見つけ、そのエントリ中のポインタが参照するエントリを探す（図３１ステップＳ１３３）。
【０２０８】
再放送検索手段３１はそのエントリ中のポインタが参照するエントリがない場合と、ポインタで参照したエントリ中の番組タグが既に検索対象にした番組タグと一致していた場合、つまり全番組タグが検索済みであれば（図３１ステップＳ１３４）、処理を終了する。
【０２０９】
再放送検索手段３１は全番組タグが検索済みでなければ（図３１ステップＳ１３４）、参照したエントリ中の番組タグを検索対象の番組タグに変更し（図３１ステップＳ１３５）、録画管理データの検索に戻る（図３１ステップＳ１３１）。
【０２１０】
このように、メッセージ１５中の番組タグに該当する番組を録画していなかった場合にも、同一番組の別の時間の放送に対応した番組タグを見つけることで、別の時間に放送された番組を録画してあれば、同じ番組を視聴することを容易に行うことができる。
【０２１１】
図３２は本発明の第１５の実施例による放送番組関連情報処理装置の構成を示すブロック図である。図３２において、本発明の第１５の実施例による放送番組関連情報処理装置は録画してある番組の情報を記憶した録画管理データ１３と、録画管理データ１３を用いて指定された番組タグと同一内容の表示可能な番組タグに変換する表示可能タグ変換手段３０と、メッセージ１５中の番組タグを表示可能タグ変換手段３０に変換させてからメッセージを表示する再放送対応メッセージ表示手段２９とから構成されている。
【０２１２】
本発明の第４〜第６の実施例の構成中のメッセージ表示手段１１を本実施例の再放送対応メッセージ表示手段２９と置き換えることで、本実施例を番組の表示に用いることができる。本実施例の再放送対応メッセージ表示手段２９は上述した本発明の第１３及び第１４の実施例の再放送対応メッセージ表示手段２９と同じである。
【０２１３】
図３３は図３２の表示可能タグ変換手段３０の動作を示すフローチャートである。これら図３２及び図３３を参照して本発明の第１５の実施例による放送番組関連情報処理装置の動作について説明する。
【０２１４】
表示可能タグ変換手段３０は指定された番組タグの番組情報から番組名（シリーズ名及びサブタイトルの場合もある）を取出して検索対象とし、録画管理データ１３中の録画されている番組の情報を検索し、検索対象と番組名が一致するものを探す（図３３ステップＳ１４１）。
【０２１５】
表示可能タグ変換手段３０は一致する番組が発見された場合（図３３ステップＳ１４２）、その番組の番組情報から番組タグを作成して返却し（図３３ステップＳ１４４）、処理を終了する。
【０２１６】
表示可能タグ変換手段３０は一致する番組が発見されなかった場合（図３３ステップＳ１４２）、視聴不能を返却し（図３３ステップＳ１４３）、処理を終了する。
【０２１７】
このように、メッセージ中の番組タグに該当する番組を録画していなかった場合にも、同一番組の別の時間の放送に対応した番組タグを見つけることで、別の時間に放送された番組が録画してあれば、同じ番組を視聴することを容易に行うことができる。
【０２１８】
本発明の第１５の実施例による放送番組関連情報処理装置は、再放送対応メッセージ表示手段２９がユーザに指示された場合にのみ番組タグの変換を行うようにすることも可能である。
【０２１９】
また、本発明の第１５の実施例による放送番組関連情報処理装置は、再放送対応メッセージ表示手段２９でユーザに表示するメッセージに関して、表示可能タグ変換手段３０によって変換される前の番組タグを表示し、番組表示制御手段に指示を送る際に用いる番組タグのみを表示可能タグ変換手段３０によって変換したものを用いることも可能である。
【０２２０】
図３４は本発明の第１６の実施例による放送番組関連情報処理装置の構成を示すブロック図である。図３４において、本発明の第１６の実施例による放送番組関連情報処理装置は録画してある番組の情報を記憶した録画管理データ１３と、メッセージ要求時に録画管理データ１３から作成した（複数の）録画済番組の番組タグを送り、サーバ２６から送られてきたメッセージ（変換後のメッセージ３３）を表示するメッセージ表示手段１１と、指定されたと再放送データベース２８とを用いて指定された番組タグと同一内容の表示可能な番組タグに変換する再生可能タグ変換手段３２と、メッセージ１５中の番組タグを再生可能タグ変換手段３２を用いてメッセージ表示手段１１から送られた録画済番組タグに含まれた番組タグに変換してから送信するサーバ２６とから構成されている。本実施例を本発明の第４〜第６の実施例の構成に加えることで、本実施例を番組の表示に用いることができる。
【０２２１】
メッセージ表示手段１１は録画管理データ１３から録画済の番組の番組タグを作成し、作成した録画済番組タグをサーバ２６に送る点を除いて、本発明の第４〜第６の実施例のメッセージ表示手段１１と同様の構成及び動作となっている。
【０２２２】
図３５は図３４のサーバ２６のメッセージ送信までの処理を示すフローチャートであり、図３６は図３４の再生可能タグ変換手段３２の動作を示すフローチャートである。これら図３４〜図３６を参照して本発明の第１６の実施例による放送番組関連情報処理装置の動作について説明する。
【０２２３】
サーバ２６はメッセージ表示手段１１から録画済番組タグが送られてメッセージが要求されると、メッセージ１５中の未変換の番組タグを検索し（図３５ステップＳ１５１）、全番組タグが変換済みであれば（図３５ステップＳ１５２）、変換済みのメッセージを送信し（図３５ステップＳ１５５）、処理を終了する。
【０２２４】
サーバ２６は未変換のものがあれば（図３５ステップＳ１５２）、再生可能タグ変換手段３２に変換対象の番組タグと録画済番組タグとを指定し、番組タグの変換を指示し（図３５ステップＳ１５３）、変換後の番組タグにメッセージ１５中の番組タグを置き換え（図３５ステップＳ１５４）、未変換の番組タグの検索に戻る（図３５ステップＳ１５１）。
【０２２５】
再生可能タグ変換手段３２は指定された番組タグを検索対象とし、対象とした番組タグが録画済番組タグに含まれているかどうかを検索し（図３６ステップＳ１６１）、対象とした番組タグが含まれていた場合（図３６ステップＳ１６２）、対象とした番組タグを返却し（図３６ステップＳ１６６）、処理を終了する。
【０２２６】
再生可能タグ変換手段３２は対象とした番組タグが含まれていなかった場合（図３６ステップＳ１６２）、再放送データベース２８から検索対象の番組タグのエントリを見つけ、そのエントリ中のポインタが参照するエントリを探す（図３６ステップＳ１６３）。
【０２２７】
再生可能タグ変換手段３２はそのエントリ中のポインタに参照するエントリがない場合、あるいはポインタで参照したエントリ中の番組タグが既に検索対象にした番組タグと一致していた場合、つまり全番組タグが検索済みであれば（図３６ステップＳ１６４）、視聴不能を返却し（図３６ステップＳ１６７）、処理を終了する。
【０２２８】
再生可能タグ変換手段３２は全番組タグが検索済みでなければ（図３６ステップＳ１６４）、参照したエントリ中の番組タグを検索対象の番組タグに変更し（図３６ステップＳ１６５）、録画済番組タグの検索に戻る（図３６ステップＳ１６１）。
【０２２９】
このように、メッセージ中の番組タグに該当する番組を録画していなかった場合にも、同一番組の別の時間の放送に対応した番組タグを見つけることで、別の時間に放送された番組が録画してあれば、同じ番組を視聴することを容易に行うことができる。
【０２３０】
図３７は本発明の第１７の実施例による放送番組関連情報処理装置の構成を示すブロック図である。図３７において、本発明の第１７の実施例による放送番組関連情報処理装置は同一番組であるが、違う時刻に放送されるがために異なる番組タグを持った場合にその番組タグ間の関連を記録した再放送データベース２８と、ＥＰＧ１７と、再放送データベース２８とＥＰＧ１７とを用いて指定された番組タグを同一内容の録画可能な番組タグに変換する録画可能タグ変換手段３５と、メッセージ１５中の番組タグを録画可能タグ変換手段３５に変換させてからメッセージ１５を表示する再放送対応メッセージ表示手段２９とから構成されている。
【０２３１】
再放送データベース２８は本発明の第１３及び第１４の実施例の再放送データベース２８と同様の構成となっている。本発明の第７の実施例の構成中のメッセージ表示手段１１を本実施例の再放送対応メッセージ表示手段２９と置き換えることで、本実施例を番組の録画予約に用いることができる。また、再放送対応メッセージ表示手段２９はメッセージ１５を変換してから表示する点を除いて、本発明の第７の実施例のメッセージ表示手段１１と同様の構成及び動作となっている。
【０２３２】
図３８は図３７の再放送対応メッセージ表示手段２９のメッセージ表示時の動作を示すフローチャートであり、図３９は図３７の録画可能タグ変換手段３５の動作を示すフローチャートである。これら図３７〜図３９を参照して本発明の第１７の実施例による放送番組関連情報処理装置の動作について説明する。
【０２３３】
再放送対応メッセージ表示手段２９はまずメッセージ１５中の未変換の番組タグを検索し（図３８ステップＳ１７１）、全番組タグが変換済みであれば（図３８ステップＳ１７２）、変換済みのメッセージを表示し（図３８ステップＳ１７５）、処理を終了する。
【０２３４】
再放送対応メッセージ表示手段２９は未変換のものがあれば（図３８ステップＳ１７２）、録画可能タグ変換手段３５に変換対象の番組タグを指定して番組タグの変換を指示し（図３８ステップＳ１７３）、変換後の番組タグにメッセージ中の番組タグを置き換え（図３８ステップＳ１７４）、未変換の番組タグの検索に戻る（図３８ステップＳ１７１）。
【０２３５】
録画可能タグ変換手段３５は指定された番組タグを検索対象の番組タグとし、検索対象の番組タグに一致する番組をＥＰＧ１７で調べる（図３９ステップＳ１８１）。録画可能タグ変換手段３５は一致する番組が未放送な場合、つまり録画可能であれば（図３９ステップＳ１８２）、検索対象となった番組タグを返却し（図３９ステップＳ１８６）、処理を終了する。
【０２３６】
録画可能タグ変換手段３５は一致する番組が放送済みであった場合、つまり録画可能であれば（図３９ステップＳ１８２）、再放送データベース２８から検索対象の番組タグのエントリを見つけ、そのエントリ中のポインタが参照するエントリを探す（図３９ステップＳ１８３）。
【０２３７】
録画可能タグ変換手段３５はそのエントリ中のポインタに参照するエントリがない場合、あるいはポインタで参照したエントリ中の番組タグが既に検索対象にした番組タグと一致していた場合、つまり全番組タグが検索済みであれば（図３９ステップＳ１８４）、録画不能を返却し（図３９ステップＳ１８７）、処理を終了する。
【０２３８】
録画可能タグ変換手段３５は全番組タグが検索済みでなければ（図３９ステップＳ１８４）、参照したエントリ中の番組タグを検索対象の番組タグに変更し（図３９ステップＳ１８５）、ＥＰＧ１７の検索に戻る（図３９ステップＳ１８１）。
【０２３９】
このように、メッセージ中の番組タグに該当する番組が既に放送済みで録画予約をできなかった場合でも、同一番組の別の時間の放送に対応した番組タグを見つけることで、未放送な別の時間での放送があれば、録画予約を容易に行うことができる。
【０２４０】
本発明の第１７の実施例による放送番組関連情報処理装置は、再放送対応メッセージ表示手段２９がユーザに指示された場合にのみ番組タグの変換を行うようにすることも可能である。
【０２４１】
また、本発明の第１７の実施例による放送番組関連情報処理装置は、再放送対応メッセージ表示手段２９でユーザに表示するメッセージに関して、録画可能タグ変換手段３５によって変換される前の番組タグを表示し、番組録画予約手段に指示を送る際に用いる番組タグのみを録画可能タグ変換手段３５によって変換したものを用いることも可能である。
【０２４２】
図４０は本発明の第１８の実施例による放送番組関連情報処理装置の構成を示すブロック図である。図４０において、本発明の第１８の実施例による放送番組関連情報処理装置は録画してある番組の情報を記憶した録画管理データ１３と、テレビあるいはラジオ放送を録画したデータが保存された録画データ１４と、ＥＰＧ１７と、録画予約情報を記録した録画予約データ１９と、同一番組であるが、違う時刻に放送されるがために異なる番組タグを持った場合にその番組タグ間の関連を記録した再放送データベース２８と、録画予約データ１９を基にテレビあるいはラジオを受信して録画データ１４に番組を記録しかつＥＰＧ１７を基に記録した番組の関連情報を録画管理データ１３に記録する番組録画手段２０と、メッセージ１５を表示するデータ表示手段３６と、データ表示手段３６から送られてきたメッセージ１５の番組タグを基にＥＰＧ１７と再放送データベース２８とを用いて録画可能な番組タグに変換する再放送変換手段３７と、再放送変換手段３８から送られてきた番組タグを基に録画予約データ１９に録画予約を登録する番組録画予約手段１８とから構成されている。
【０２４３】
上記の構成ではデータ表示手段３６が表示するメッセージ１５を変更せずに、番組の録画予約を指示する際に番組タグを変換している。再放送データベース２８は本発明の第１３及び第１４の実施例の再放送データベース２８と同様の構成となっている。
【０２４４】
データ表示手段３６は録画予約の指示を再放送変換手段３７に出す点を除いて、本発明の第７の実施例のメッセージ表示手段１１と同様の構成及び動作となっている。また、番組録画予約手段１８は録画予約の指示を再放送変換手段３８から受ける点を除いて、本発明の第７の実施例の番組録画予約手段１８と同様の構成及び動作となっており、番組録画手段２０は本発明の第７の実施例の番組録画手段２０と同様の構成及び動作となっている。
【０２４５】
図４１は図４０の再放送変換手段３７がデータ表示手段３６から録画予約の指示を受取った場合の動作を示すフローチャートである。これら図４０及び図４１を参照して本発明の第１８の実施例による放送番組関連情報処理装置の動作について説明する。
【０２４６】
再放送変換手段３７は録画予約の指示がくると、指定された番組タグを検索対象の番組タグとし、ＥＰＧ１７から検索対象の番組タグで特定される番組の情報を検索する（図４１ステップＳ１９１）。
【０２４７】
再放送変換手段３７はＥＰＧ１７を検索した結果、検索された番組が録画（予約）可能であった場合（図４１ステップＳ１９２）、番組録画予約手段に検索対象となった番組タグを指定して録画予約を指示し（図４１ステップＳ１９６）、処理を終了する。
【０２４８】
再放送変換手段３７は対象となった番組が予約可能でなかった場合（図４１ステップＳ１９２）、再放送データベース２８から検索対象の番組タグのエントリを見つけ、そのエントリ中のポインタが参照するエントリを探す（図４１ステップＳ１９３）。
【０２４９】
再放送変換手段３７はそのエントリ中のポインタが参照するエントリがない場合、あるいはポインタで参照したエントリ中の番組タグが既に検索対象にした番組タグと一致していた場合、つまり全番組タグが検索済みであれば（図４１ステップＳ１９４）、処理を終了する。
【０２５０】
再放送変換手段３７は全番組タグが検索済みでなければ（図４１ステップＳ１９４）、参照したエントリ中の番組タグを検索対象の番組タグに変更し（図４１ステップＳ１９５）、ＥＰＧ１７の検索に戻る（図４１ステップＳ１９１）。
【０２５１】
このように、メッセージ中の番組タグに該当する番組が既に放送済みで録画予約をできなかった場合にも、同一番組の別の時間の放送に対応した番組タグを見つけることで、未放送な別の時間での放送があれば、録画予約を容易に行うことができる。
【０２５２】
図４２は本発明の第１９の実施例による放送番組関連情報処理装置の構成を示すブロック図である。図４２において、本発明の第１９の実施例による放送番組関連情報処理装置はＥＰＧ１７と、ＥＰＧ１７を用いて指定された番組タグを同一内容の録画可能な番組タグに変換する録画可能タグ変換手段３５と、メッセージ１５中の番組タグを録画可能タグ変換手段３５に変換させてからメッセージ１５を表示する再放送対応メッセージ表示手段２９とから構成されている。
【０２５３】
本発明の第７の実施例の構成中のメッセージ表示手段１１を本実施例の再放送対応メッセージ表示手段２９と置き換えることで、本実施例を番組の録画予約に用いることができる。また、本実施例の再放送対応メッセージ表示手段２９は本発明の第１７及び第１８の実施例の再放送対応メッセージ表示手段２９及びデータ表示手段３７と同様の構成及び動作となっている。
【０２５４】
図４３は図４２の録画可能タグ変換手段３５の動作を示すフローチャートである。これら図４２及び図４３を参照して本発明の第１９の実施例による放送番組関連情報処理装置の動作について説明する。
【０２５５】
録画可能タグ変換手段３５は指定された番組タグの番組情報から番組名（シリーズ名及びサブタイトルの場合もある）を取出して検索対象とし、ＥＰＧ１７中の未放送の番組から番組名が一致するものを検索する（図４３ステップＳ２０１）。
【０２５６】
録画可能タグ変換手段３５は一致する番組が発見された場合（図４３ステップＳ２０２）、その番組の番組情報から番組タグを作成して返却し（図４３ステップＳ２０４）、処理を終了する。
【０２５７】
録画可能タグ変換手段３５は一致する番組が発見されなかった場合には（図４３ステップＳ２０２）、録画予約不能を返却し（図４３ステップＳ２０３）、処理を終了する。
【０２５８】
このように、メッセージ１５中の番組タグに該当する番組が既に放送済みで録画予約をできなかった場合にも、同一番組の別の時間の放送に対応した番組タグを見つけることで、未放送な別の時間での放送があれば、録画予約を容易に行うことができる。
【０２５９】
本発明の第１９の実施例による放送番組関連情報処理装置実施例は、再放送対応メッセージ表示手段２９がユーザに指示された場合にのみ番組タグの変換を行うことも可能である。
【０２６０】
また、本発明の第１９の実施例による放送番組関連情報処理装置実施例は、再放送対応メッセージ表示手段２９でユーザに表示するメッセージに関して、録画可能タグ変換手段３５によって変換される前の番組タグを表示し、番組録画予約手段に指示を送る際に用いる番組タグのみを録画可能タグ変換手段３５によって変換したものを用いることも可能である。
【０２６１】
図４４は本発明の第２０の実施例による放送番組関連情報処理装置の構成を示すブロック図である。図４４において、本発明の第２０の実施例による放送番組関連情報処理装置はサーバ２６から送られてきたメッセージを表示するメッセージ表示手段１１と、ＥＰＧ１７と、同一番組であるが、違う時刻に放送されるがために異なる番組タグを持った場合に、その番組タグ間の関連を記録した再放送データベース２８と、指定された番組タグをＥＰＧ１７と再放送データベース２８とを用いて録画可能な同一内容の番組の番組タグに変換する録画可能タグ変換手段３５と、メッセージ１５中の番組タグを録画可能タグ変換手段３５を用いて変換してから送信するサーバ２６とから構成されている。
【０２６２】
再放送データベース２８の構成は本発明の第１３及び第１４の実施例の再放送データベース２８の構成と同様である。本実施例を本発明の第７の実施例の構成に加えることで、本実施例を番組の録画予約に用いることができる。
【０２６３】
また、メッセージ表示手段１１は本発明の第７の実施例のメッセージ表示手段１１と同様の構成及び動作となっている。録画可能タグ変換手段３５は要求がサーバ２６からくる点を除いて、本発明の第１７及び第１８の実施例の録画可能タグ変換手段３５と同様の構成及び動作となっている。
【０２６４】
図４５は図４４のサーバ２６のメッセージ送信までの処理を示すフローチャートである。これら図４４及び図４５を参照して本発明の第２０の実施例による放送番組関連情報処理装置の動作について説明する。
【０２６５】
サーバ２６はメッセージ表示手段１１からメッセージが要求されると、メッセージ１５中の未変換の番組タグを検索し（図４５ステップＳ２１１）、全番組タグが変換済みであれば（図４５ステップＳ２１２）、変換済みのメッセージを送信し（図４５ステップＳ２１５）、処理を終了する。
【０２６６】
サーバ２６は未変換のものがあれば、録画可能タグ変換手段３５に変換対象の番組タグを指定し、番組タグの変換を指示し（図４５ステップＳ２１３）、変換後の番組タグにメッセージ中の番組タグを置き換え（図４５ステップＳ２１４）、未変換の番組タグの検索に戻る（図４５ステップＳ２１１）。
【０２６７】
このように、メッセージ１５中の番組タグに該当する番組が既に放送済みで録画予約をできなかった場合にも、同一番組の別の時間の放送に対応した番組タグを見つけることで、未放送な別の時間での放送があれば、録画予約を容易に行うことができる。
【０２６８】
尚、請求項の記載に関連して本発明はさらに次の態様をとりうる。
【０２６９】
（１）放送予定の番組情報を含むＥＰＧ（Ｅｌｅｃｔｒｉｃ  ＰｒｏｇｒａｍＧｕｉｄｅ）と、前記ＥＰＧの内容に基づいて少なくとも前記番組を参照するための番組タグを作成する手段と、その作成された番組タグを外部から指示される指定場所に挿入する手段とを有することを特徴とする放送番組関連情報処理装置。
【０２７０】
（２）前記番組タグの挿入は、外部からの指示に基づいて作成中のメッセージの前記指定場所に前記番組タグを挿入するようにしたことを特徴とする（１）記載の放送番組関連情報処理装置。
【０２７１】
（３）前記番組タグは、前記メッセージ中の他のテキストと区別するようにしたことを特徴とする（２）記載の放送番組関連情報処理装置。
【０２７２】
（４）前記メッセージが構造化されたデータの時に前記データの形式によって番組タグを区別可能としたことを特徴とする（２）または（３）記載の放送番組関連情報処理装置。
【０２７３】
（５）前記メッセージがＨＴＭＬ（Ｈｙｐｅｒ  Ｔｅｘｔ  Ｍａｒｋｕｐ  Ｌａｎｇｕａｇｅ）データの時に予め設定された専用のタグによって前記番組タグを識別するようにしたことを特徴とする（４）記載の放送番組関連情報処理装置。
【０２７４】
（６）前記メッセージの表示中に外部から指定された番組タグの情報にしたがって指定された番組の再生を、録画中及び放送中のいずれかの放映番組と再生中の蓄積済み番組とに対する表示制御を行う番組表示制御手段に指示する手段を含むことを特徴とする（２）から（６）のいずれか記載の放送番組関連情報処理装置。
【０２７５】
（７）前記番組の再生を指示する手段は、指定された番組の中の指定されたシーンの再生を指示するようにしたことを特徴とする（６）記載の放送番組関連情報処理装置。
【０２７６】
（８）前記メッセージ表示中に外部から指定された番組タグの情報にしたがって指定された番組の録画予約を指示する手段を含むことを特徴とする（２）から（７）のいずれか記載の放送番組関連情報処理装置。
【０２７７】
（９）前記メッセージ表示中に外部から指定された番組タグで指定された番組が放送前か放送中及び録画済みのいずれかかを判定する判定手段を含み、前記判定手段で放送前と判定された時に当該番組タグの情報にしたがって指定された番組の録画予約を指示しかつ前記判定手段で放送中及び録画済みのいずれかと判定された時に当該番組タグの情報にしたがって指定された番組の再生を指示するようにしたことを特徴とする（２）から（８）のいずれか記載の放送番組関連情報処理装置。
【０２７８】
（１０）表示対象のメッセージ中の番組タグで指定された番組が放送前であれば録画予約ができることを示す表現法で番組タグを表示し、
当該番組タグで指定された番組が放送中及び録画済みのいずれかであれば表示ができることを示す表現法で番組タグを表示し、
当該番組タグで指定された番組が放送済みで録画されていなければ表示できないことを示す表現法で番組タグを表示するようにしたことを特徴とする（２）から（９）のいずれか記載の放送番組関連情報処理装置。
【０２７９】
（１１）前記表現法は、前記番組タグの色・フォント・文字修飾を変更する方法及び状態を示す文字列を表示する方法のいずれかであることを特徴とする（１０）記載の放送番組関連情報処理装置。
【０２８０】
（１２）地域毎に異なる番組タグ間の対応関係を蓄積するデータベースと、異なる地域から送られたメッセージ中の番組タグを前記データベースに基づいて前記番組を表示する地域に応じて変換する手段とを含むことを特徴とする（６）から（８）のいずれか記載の放送番組関連情報処理装置。
【０２８１】
（１３）異なる地域から送られてきたメッセージ中の番組タグを当該番組タグの情報からユーザの地域用のＥＰＧ（Ｅｌｅｃｔｒｉｃ  Ｐｒｏｇｒａｍ  Ｇｕｉｄｅ）を用いて前記番組を表示する地域に応じた番組タグに変換する手段を含むことを特徴とする（６）から（８）のいずれか記載の放送番組関連情報処理装置。
【０２８２】
（１４）前記メッセージを格納するサーバに受信者の地域を指定することで、前記サーバが送信するメッセージ中の番組タグを前記受信者の地域に応じて変換してから送信するようにしたことを特徴とする（６）から（８）のいずれか記載の放送番組関連情報処理装置。
【０２８３】
（１５）同一内容の番組が再放送によって異なる時間に放映される時に前記メッセージ中に埋め込まれた番組タグを放送中及び録画済みのいずれかの同一内容の番組の番組タグに変換する手段を含むことを特徴とする（６）または（７）記載の放送番組関連情報処理装置。
【０２８４】
（１６）前記メッセージ中の番組タグで指定された番組が放送済みでかつ録画していなかった時に番組タグの情報からＥＰＧ（Ｅｌｅｃｔｒｉｃ  Ｐｒｏｇｒａｍ  Ｇｕｉｄｅ）を用いて放送中及び録画済みのいずれかの番組の番組タグに変換する手段を含むことを特徴とする（６）または（７）記載の放送番組関連情報処理装置。
【０２８５】
（１７）前記メッセージを格納したサーバに録画済の番組の番組タグを送り、前記サーバが送信するメッセージ中の番組タグに録画済みの番組と同一内容のものがあった時に当該メッセージ中の番組タグを前記録画済みの番組の番組タグに変換してから送信するようにしたことを特徴とする（６）または（７）記載の放送番組関連情報処理装置。
【０２８６】
（１８）同一内容の番組が再放送によって異なる時間に放映される時に前記メッセージ中に埋め込まれた番組タグを放送前の同一内容の番組の番組タグに変換する手段を含むことを特徴とする（８）記載の放送番組関連情報処理装置。
【０２８７】
（１９）前記メッセージ中の番組タグで指定された番組が放送済みであった時に当該メッセージ中の番組タグの情報からＥＰＧ（Ｅｌｅｃｔｒｉｃ  Ｐｒｏｇｒａｍ  Ｇｕｉｄｅ）を用いて放送前の番組の番組タグに変換する手段を含むことを特徴とする（８）記載の放送番組関連情報処理装置。
【０２８８】
（２０）前記メッセージを格納したサーバが送信するメッセージ中の番組タグのうちの放送済みの番組の番組タグを、当該放送済みの番組と同一内容の放送前の番組があった時に当該放送前の番組の番組タグに変換してから送信するようにしたことを特徴とする（８）記載の放送番組関連情報処理装置。
【０２８９】
（２１）放送予定の番組情報を含むＥＰＧ（Ｅｌｅｃｔｒｉｃ  Ｐｒｏｇｒａｍ  Ｇｕｉｄｅ）の内容に基づいて少なくとも前記番組を参照するための番組タグを作成するステップと、その作成された番組タグを外部から指示される指定場所に挿入するステップとを有することを特徴とする放送番組関連情報処理方法。
【０２９０】
（２２）前記番組タグの挿入は、外部からの指示に基づいて作成中のメッセージの前記指定場所に前記番組タグを挿入するようにしたことを特徴とする（２１）記載の放送番組関連情報処理方法。
【０２９１】
（２３）前記番組タグは、前記メッセージ中の他のテキストと区別するようにしたことを特徴とする（２２）記載の放送番組関連情報処理方法。
【０２９２】
（２４）前記メッセージが構造化されたデータの時に前記データの形式によって番組タグを区別可能としたことを特徴とする（２２）または（２３）記載の放送番組関連情報処理方法。
【０２９３】
（２５）前記メッセージがＨＴＭＬ（Ｈｙｐｅｒ  Ｔｅｘｔ  Ｍａｒｋｕｐ  Ｌａｎｇｕａｇｅ）データの時に予め設定された専用のタグによって前記番組タグを識別するようにしたことを特徴とする（２４）記載の放送番組関連情報処理方法。
【０２９４】
（２６）前記メッセージの表示中に外部から指定された番組タグの情報にしたがって指定された番組の再生を、録画中及び放送中のいずれかの放映番組と再生中の蓄積済み番組とに対する表示制御を行う番組表示制御手段に指示するステップを含むことを特徴とする（２２）から（２５）のいずれか記載の放送番組関連情報処理方法。
【０２９５】
（２７）前記番組の再生を指示するステップは、指定された番組の中の指定されたシーンの再生を指示するようにしたことを特徴とする（２６）記載の放送番組関連情報処理方法。
【０２９６】
（２８）前記メッセージ表示中に外部から指定された番組タグの情報にしたがって指定された番組の録画予約を指示するステップを含むことを特徴とする（２２）から（２７）のいずれか記載の放送番組関連情報処理方法。
【０２９７】
（２９）前記メッセージ表示中に外部から指定された番組タグで指定された番組が放送前か放送中及び録画済みのいずれかかを判定するステップを含み、放送前と判定された時に当該番組タグの情報にしたがって指定された番組の録画予約を指示しかつ放送中及び録画済みのいずれかと判定された時に当該番組タグの情報にしたがって指定された番組の再生を指示するようにしたことを特徴とする（２２）から（２８）のいずれか記載の放送番組関連情報処理方法。
【０２９８】
（３０）表示対象のメッセージ中の番組タグで指定された番組が放送前であれば録画予約ができることを示す表現法で番組タグを表示し、
当該番組タグで指定された番組が放送中及び録画済みのいずれかであれば表示ができることを示す表現法で番組タグを表示し、
当該番組タグで指定された番組が放送済みで録画されていなければ表示できないことを示す表現法で番組タグを表示するようにしたことを特徴とする（２２）から（２９）のいずれか記載の放送番組関連情報処理方法。
【０２９９】
（３１）前記表現法は、前記番組タグの色・フォント・文字修飾を変更する方法及び状態を示す文字列を表示する方法のいずれかであることを特徴とする（３０）記載の放送番組関連情報処理方法。
【０３００】
（３２）地域毎に異なる番組タグ間の対応関係を蓄積するデータベースに基づいて異なる地域から送られたメッセージ中の番組タグを、前記番組を表示する地域に応じて変換するステップを含むことを特徴とする（２６）から（２８）のいずれか記載の放送番組関連情報処理方法。
【０３０１】
（３３）異なる地域から送られてきたメッセージ中の番組タグを当該番組タグの情報からユーザの地域用のＥＰＧ（Ｅｌｅｃｔｒｉｃ  Ｐｒｏｇｒａｍ  Ｇｕｉｄｅ）を用いて前記番組を表示する地域に応じた番組タグに変換するステップを含むことを特徴とする（２６）から（２８）のいずれか記載の放送番組関連情報処理方法。
【０３０２】
（３４）前記メッセージを格納するサーバに受信者の地域を指定することで、前記サーバが送信するメッセージ中の番組タグを前記受信者の地域に応じて変換してから送信するようにしたことを特徴とする（２６）から（２８）のいずれか記載の放送番組関連情報処理方法。
【０３０３】
（３５）同一内容の番組が再放送によって異なる時間に放映される時に前記メッセージ中に埋め込まれた番組タグを放送中及び録画済みのいずれかの同一内容の番組の番組タグに変換するステップを含むことを特徴とする（２６）または（２７）記載の放送番組関連情報処理方法。
【０３０４】
（３６）前記メッセージ中の番組タグで指定された番組が放送済みでかつ録画していなかった時に番組タグの情報からＥＰＧ（Ｅｌｅｃｔｒｉｃ  Ｐｒｏｇｒａｍ  Ｇｕｉｄｅ）を用いて放送中及び録画済みのいずれかの番組の番組タグに変換するステップを含むことを特徴とする（２６）または（２７）記載の放送番組関連情報処理方法。
【０３０５】
（３７）前記メッセージを格納したサーバに録画済の番組の番組タグを送り、前記サーバが送信するメッセージ中の番組タグに録画済みの番組と同一内容のものがあった時に当該メッセージ中の番組タグを前記録画済みの番組の番組タグに変換してから送信するようにしたことを特徴とする（２６）または（２７）記載の放送番組関連情報処理方法。
【０３０６】
（３８）同一内容の番組が再放送によって異なる時間に放映される時に前記メッセージ中に埋め込まれた番組タグを放送前の同一内容の番組の番組タグに変換するステップを含むことを特徴とする（２８）記載の放送番組関連情報処理方法。
【０３０７】
（３９）前記メッセージ中の番組タグで指定された番組が放送済みであった時に当該メッセージ中の番組タグの情報からＥＰＧ（Ｅｌｅｃｔｒｉｃ  Ｐｒｏｇｒａｍ  Ｇｕｉｄｅ）を用いて放送前の番組の番組タグに変換するステップを含むことを特徴とする（２８）記載の放送番組関連情報処理方法。
【０３０８】
（４０）前記メッセージを格納したサーバが送信するメッセージ中の番組タグのうちの放送済みの番組の番組タグを、当該放送済みの番組と同一内容の放送前の番組があった時に当該放送前の番組の番組タグに変換してから送信するようにしたことを特徴とする（２８）記載の放送番組関連情報処理方法。
【０３０９】
【発明の効果】
以上説明したように本発明の第１の放送番組関連情報処理装置によれば、録画中及び放送中のいずれかの放映番組と再生中の蓄積済み番組とに対する表示制御を行う番組表示制御手段から受取った視聴中の番組に関する情報を基に少なくとも番組を参照するための番組タグを作成し、その作成された番組タグを外部から指示される指定場所に挿入することによって、ユーザが視聴中の番組に対応した番組タグを含んだメッセージを容易に作成することができるという効果がある。
【０３１０】
本発明の第２の放送番組関連情報処理装置によれば、放送予定の番組情報を含む電子番組表の内容に基づいて番組タグが含まれたメッセージを作成することによって、電子番組表を用いて番組に対応した番組タグを含んだメッセージを容易に作成することができるという効果がある。
【０３１１】
本発明の第３の放送番組関連情報処理装置によれば、メッセージの表示中に外部から指定された番組タグの情報にしたがって指定された番組の再生を番組表示制御手段に指示することによって、メッセージ中の番組タグで指定された番組を容易に視聴することができるという効果がある。
【０３１２】
本発明の第４の放送番組関連情報処理装置によれば、メッセージ表示中に外部から指定された番組タグの情報にしたがって指定された番組の録画予約を指示することによって、メッセージ中の番組タグで指定された番組を容易に録画予約することができるという効果がある。
【０３１３】
本発明の第５の放送番組関連情報処理装置によれば、メッセージ表示中に外部から指定された番組タグで指定された番組が放送前か放送中及び録画済みのいずれかかを判定し、放送前と判定された時に当該番組タグの情報にしたがって指定された番組の録画予約を指示しかつ放送中及び録画済みのいずれかと判定された時に当該番組タグの情報にしたがって指定された番組の再生を指示することによって、メッセージ中の番組タグに対応した番組が録画可能であるか視聴可能であるかを自動的に判定して視聴あるいは録画予約を容易に行うことができるという効果がある。
【０３１４】
本発明の第６の放送番組関連情報処理装置によれば、表示対象のメッセージ中の番組タグで指定された番組が放送前であれば録画予約ができることを示す表現法で番組タグを表示し、当該番組タグで指定された番組が放送中及び録画済みのいずれかであれば表示ができることを示す表現法で番組タグを表示し、当該番組タグで指定された番組が放送済みで録画されていなければ表示できないことを示す表現法で番組タグを表示することによって、メッセージ中の番組タグに対応した番組が録画可能であるか視聴可能であるかを自動的に判定してユーザにその番組がどの状態にあるかを示すことができるという効果がある。
【０３１５】
本発明の第７の放送番組関連情報処理装置によれば、地域毎に異なる番組タグ間の対応関係を蓄積するデータベースに基づいて異なる地域から送られたメッセージ中の番組タグを、その番組を表示する地域に応じて変換することによって、地域毎の放送時間等の違いを隠蔽して視聴あるいは録画予約を容易に行うことができるという効果がある。
【０３１６】
本発明の第８の放送番組関連情報処理装置によれば、同一内容の番組が再放送によって異なる時間に放映される時にメッセージ中に埋め込まれた番組タグを放送中及び録画済みのいずれかの同一内容の番組の番組タグに変換することによって、別の時間に放送された番組を録画してあれば、同じ番組の視聴を容易に行うことができるという効果がある。
【０３１７】
本発明の第９の放送番組関連情報処理装置によれば、同一内容の番組が再放送によって異なる時間に放映される時にメッセージ中に埋め込まれた番組タグを放送前の同一内容の番組の番組タグに変換することによって、未放送な別の時間での放送があれば、録画予約を容易に行うことができるという効果がある。
【図面の簡単な説明】
【図１】本発明の第１の実施例による放送番組関連情報処理装置の構成を示すブロック図である。
【図２】図１の番組表示制御手段の番組タグ作成処理を示すフローチャートである。
【図３】図１のメッセージ作成手段でのメッセージ中に番組タグを挿入する処理を示すフローチャートである。
【図４】本発明の第２の実施例による放送番組関連情報処理装置の構成を示すブロック図である。
【図５】図４の番組表示制御手段の番組タグ作成処理を示すフローチャートである。
【図６】本発明の第３の実施例による放送番組関連情報処理装置の構成を示すブロック図である。
【図７】図６のメッセージ作成手段でのメッセージ中に番組タグを挿入する処理を示すフローチャートである。
【図８】本発明の第４の実施例による放送番組関連情報処理装置の構成を示すブロック図である。
【図９】図８の番組表示制御手段での再生開始までの処理を示すフローチャートである。
【図１０】本発明の第５の実施例による放送番組関連情報処理装置の構成を示すブロック図である。
【図１１】図１０の番組表示制御手段での再生開始までの処理を示すフローチャートである。
【図１２】本発明の第６の実施例による放送番組関連情報処理装置の構成を示すブロック図である。
【図１３】図１２の番組表示制御手段での再生開始までの処理を示すフローチャートである。
【図１４】本発明の第７の実施例による放送番組関連情報処理装置の構成を示すブロック図である。
【図１５】本発明の第８の実施例による放送番組関連情報処理装置の構成を示すブロック図である。
【図１６】図１５の表示予約判定手段の動作を示すフローチャートである。
【図１７】本発明の第９の実施例による放送番組関連情報処理装置の構成を示すブロック図である。
【図１８】図１７の状態対応メッセージ表示手段のメッセージ表示までの動作を示すフローチャートである。
【図１９】本発明の第１０の実施例による放送番組関連情報処理装置の構成を示すブロック図である。
【図２０】図１９の地域変換データベースのエントリ例を示す図である。
【図２１】図１９の地域対応メッセージ表示手段のメッセージを表示する際の動作を示すフローチャートである。
【図２２】本発明の第１１の実施例による放送番組関連情報処理装置の構成を示すブロック図である。
【図２３】本発明の第１２の実施例による放送番組関連情報処理装置の構成を示すブロック図である。
【図２４】図２３のサーバのメッセージ送信までの処理を示すフローチャートである。
【図２５】本発明の第１３の実施例による放送番組関連情報処理装置の構成を示すブロック図である。
【図２６】図２５の再放送データベースのエントリ例を示す図である。
【図２７】図２５の再放送データベース２８のエントリの参照例を示す図である。
【図２８】図２５の再放送対応メッセージ表示手段のメッセージの表示時の動作を示すフローチャートである。
【図２９】図２５の表示可能タグ変換手段の動作を示すフローチャートである。
【図３０】本発明の第１４の実施例による放送番組関連情報処理装置の構成を示すブロック図である。
【図３１】図３０の再放送検索手段がメッセージ表示手段から再生の指示を受取った場合の動作を示すフローチャートである。
【図３２】本発明の第１５の実施例による放送番組関連情報処理装置の構成を示すブロック図である。
【図３３】図３２の表示可能タグ変換手段の動作を示すフローチャートである。
【図３４】本発明の第１６の実施例による放送番組関連情報処理装置の構成を示すブロック図である。
【図３５】図３４のサーバのメッセージ送信までの処理を示すフローチャートである。
【図３６】図３４の再生可能タグ変換手段の動作を示すフローチャートである。
【図３７】本発明の第１７の実施例による放送番組関連情報処理装置の構成を示すブロック図である。
【図３８】図３７の再放送対応メッセージ表示手段のメッセージ表示時の動作を示すフローチャートである。
【図３９】図３７の録画可能タグ変換手段の動作を示すフローチャートである。
【図４０】本発明の第１８の実施例による放送番組関連情報処理装置の構成を示すブロック図である。
【図４１】図４０の再放送変換手段がデータ表示手段から録画予約の指示を受取った場合の動作を示すフローチャートである。
【図４２】本発明の第１９の実施例による放送番組関連情報処理装置の構成を示すブロック図である。
【図４３】図４２の録画可能タグ変換手段の動作を示すフローチャートである。
【図４４】本発明の第２０の実施例による放送番組関連情報処理装置の構成を示すブロック図である。
【図４５】図４４のサーバのメッセージ送信までの処理を示すフローチャートである。
【符号の説明】
１  メッセージ作成手段
２，１２  番組表示制御手段
３，１３  録画管理データ
４，１４  録画データ
５，１５  メッセージ
６，１６  番組受信手段
７，１７  ＥＰＧ
１１  メッセージ表示手段
１８  番組録画予約手段
１９  録画予約データ
２０  番組録画手段
２１  表示予約判定手段
２２  状態対応メッセージ表示手段
２３  地域対応メッセージ表示手段
２４  地域変換データベース
２５  地域変換手段
２６  サーバ
２７  地域変換後のメッセージ
２８  再放送データベース
２９  再放送対応メッセージ表示手段
３０  表示可能タグ変換手段
３１  再放送検索手段
３２  再生可能タグ変換手段
３３  変換後のメッセージ
３４  録画済番組の番組タグ
３５  録画可能タグ変換手段
３６  データ表示手段
３７  再放送変換手段
【図１】
0004081966.tif 000002
【図２】
0004081966.tif 000003
【図３】
0004081966.tif 000004
【図４】
0004081966.tif 000005
【図５】
0004081966.tif 000006
【図６】
0004081966.tif 000007
【図７】
0004081966.tif 000008
【図８】
0004081966.tif 000009
【図９】
0004081966.tif 000010
【図１０】
0004081966.tif 000011
【図１１】
0004081966.tif 000012
【図１２】
0004081966.tif 000013
【図１３】
0004081966.tif 000014
【図１４】
0004081966.tif 000015
【図１５】
0004081966.tif 000016
【図１６】
0004081966.tif 000017
【図１７】
0004081966.tif 000018
【図１８】
0004081966.tif 000019
【図１９】
0004081966.tif 000020
【図２０】
0004081966.tif 000021
【図２１】
0004081966.tif 000022
【図２２】
0004081966.tif 000023
【図２３】
0004081966.tif 000024
【図２４】
0004081966.tif 000025
【図２５】
0004081966.tif 000026
【図２６】
0004081966.tif 000027
【図２７】
0004081966.tif 000028
【図２８】
0004081966.tif 000029
【図２９】
0004081966.tif 000030
【図３０】
0004081966.tif 000031
【図３１】
0004081966.tif 000032
【図３２】
0004081966.tif 000033
【図３３】
0004081966.tif 000034
【図３４】
0004081966.tif 000035
【図３５】
0004081966.tif 000036
【図３６】
0004081966.tif 000037
【図３７】
0004081966.tif 000038
【図３８】
0004081966.tif 000039
【図３９】
0004081966.tif 000040
【図４０】
0004081966.tif 000041
【図４１】
0004081966.tif 000042
【図４２】
0004081966.tif 000043
【図４３】
0004081966.tif 000044
【図４４】
0004081966.tif 000045
【図４５】
0004081966.tif 000046